(57)【要約】【課題】  容器内で発生したガスが施蓋前に散逸するおそれのない吐水装置を提供することを目的とする。【解決手段】  液体貯留タンクと、前記液体貯留タンクの口に係合し前記液体貯留タンクと共働して密閉空間を形成する蓋と、一端が前記密閉空間に連通可能であり他端が前記密閉空間外で開口する通水路と、前記通水路を開閉する開閉弁と、を備え、前記密閉空間内で発泡剤を液体に溶解させてガスを発生させ、前記ガスにより加圧された液体を吐出する吐水装置であって、施蓋により密閉空間が形成された後に前記発泡剤の前記液体への溶解を開始させる発泡開始時期規制手段をさらに備えたことを特徴とする吐水装置を提供する。【選択図】  図１
2004290669.tif 000002
【特許請求の範囲】
【請求項１】
液体貯留タンクと、前記液体貯留タンクの口に係合し前記液体貯留タンクと共働して密閉空間を形成する蓋と、一端が前記密閉空間に連通可能であり他端が前記密閉空間外で開口する通水路と、前記通水路を開閉する開閉弁と、を備え、
前記密閉空間内で発泡剤を液体に溶解させてガスを発生させ、前記ガスにより加圧された液体を吐出する吐水装置であって、施蓋により密閉空間が形成された後に前記発泡剤の前記液体への溶解を開始させる発泡開始時期規制手段をさらに備えたことを特徴とする吐水装置。
【請求項２】
前記発泡開始時期規制手段は、前記液体貯留タンクの前記口に装着可能な発泡剤収納容器を有することを特徴とする請求項１記載の吐水装置。
【請求項３】
前記発泡剤収納容器の内部空間は、前記液体貯留タンクの前記口への前記発泡剤収納容器の装着時に前記液体貯留タンクの内部空間と連通することを特徴とする請求項２記載の吐水装置。
【請求項４】
前記発泡剤収納容器の遊動空間が前記蓋に形成され、施蓋後に前記発泡剤収納容器を前記遊動空間内で遊動させることにより、前記発泡剤収納容器の内部空間が液体貯留タンクの内部空間と連通することを特徴とする請求項２記載の吐水装置。
【請求項５】
前記発泡開始時期規制手段は、前記液体貯留タンクの前記口に装着された前記発泡剤収納容器の内部空間と前記液体貯留タンクの内部空間との間の連通路を開閉する開閉装置を有することを特徴とする請求項２記載の吐水装置。
【請求項６】
前記発泡開始時期規制手段は、前記液体貯留タンクの口に装着可能な発泡剤把持具を有することを特徴とする請求項１記載の吐水装置。
【請求項７】
前記発泡開始時期規制手段は、前記蓋に装着可能な発泡剤収納容器を有することを特徴とする請求項１記載の吐水装置。
【請求項８】
前記発泡開始時期規制手段は、前記蓋に装着された前記発泡剤収納容器の内部空間と前記液体貯留タンクの内部空間との間の連通路を開閉する開閉装置を有することを特徴とする請求項７記載の吐水装置。
【請求項９】
前記発泡開始時期規制手段は、前記蓋に形成された発泡剤把持部を有し、前記発泡剤把持部は施蓋により前記液体貯留タンクの内部空間に直接対峙することを特徴とする請求項１記載の吐水装置。
【請求項１０】
前記発泡開始時期規制手段は、前記蓋に取り付けられた可動爪を含む発泡剤把持具を有することを特徴とする請求項１記載の吐水装置。
【請求項１１】
前記蓋は、前記発泡剤を収納する収納容器を兼ね、
前記発泡開始時期規制手段は、前記口を開閉する開閉弁を有することを特徴とする請求項１記載の吐水装置。
【請求項１２】
前記発泡開始時期規制手段は、爪部材を有し、前記爪部材は、前記施蓋時に、前記発泡剤が収納され密閉された発泡剤収納容器を破壊することを特徴とする請求項１記載の吐水装置。
【請求項１３】
前記発泡開始時期規制手段は、前記発泡剤収納容器を前記爪部材から遠ざかる方向へ付勢する弾性部材を有することを特徴とする請求項１２記載の吐水装置。
【請求項１４】
前記発泡開始時期規制手段は、前記発泡剤収納容器を保持する保持具をさらに有し、
前記保持具は、その底部に貫通穴が形成されてなることを特徴とする請求項１２または１３に記載の吐水装置。
【請求項１５】
前記発泡剤収納容器は、内部に前記発泡剤が収納された容器本体と前記容器本体の開口を塞ぎ密閉する蓋部とを有し、
前記発泡開始時期規制手段は、前記発泡剤収納容器を保持する保持具をさらに有し、
前記保持具は、その底部に設けられた前記爪部材に対して前記蓋部が対向するように前記発泡剤収納容器を保持し、
前記爪部材は、前記保持具の前記底部に設けられた貫通穴を取り囲むように、前記底部から上方に向けて、一部に切り欠きを有する筒状に形成されたことを特徴とする請求項１２または１３に記載の吐水装置。
【請求項１６】
前記発泡剤収納容器は、内部に前記発泡剤が収納された容器本体と前記容器本体の開口を塞ぎ密閉する蓋部とを有し、
前記発泡開始時期規制手段は、前記発泡剤収納容器を保持する保持具をさらに有し、
前記保持具は、その底部に設けられた前記爪部材に対して前記蓋部が対向するように前記発泡剤収納容器を保持し、
前記爪部材は、前記保持具の前記底部に設けられた貫通穴を取り囲むように、前記底部から上方に向けて筒状に形成され、且つその上端は、前記底部に対して斜めに切断された先端部を有することを特徴とする請求項１２または１３に記載の吐水装置。
【請求項１７】
前記発泡剤収容容器の前記蓋部は、前記施蓋時に、前記爪部材により破壊され、
前記蓋部の破壊後に、前記開閉弁の前記開閉の動作が前記発泡剤収容容器と干渉しないことを特徴とする請求項１５または１６に記載の吐水装置。
【請求項１８】
前記発泡剤収容容器の前記蓋部は、前記施蓋時に、前記爪部材により破壊され、
前記蓋部の破壊後に、前記発泡剤収容容器の少なくとも一部が前記液体貯留タンクの口よりも上方に突出してなることを特徴とする請求項１５または１６に記載の吐水装置。
【請求項１９】
前記液体貯留タンクに、液体位を規定する目盛が設けられ、
前記爪部材は、前記施蓋時に、前記目盛よりも上に設けられたことを特徴とする請求項１２〜１８のいずれか１つに記載の吐水装置。
【請求項２０】
前記液体貯留タンクに、液体位を規定する目盛が設けられ、
前記爪部材は、前記施蓋時に、前記目盛よりも下に設けられたことを特徴とする請求項１２〜１８のいずれか１つに記載の吐水装置。
【請求項２１】
前記発泡開始時期規制手段は、前記発泡剤収納容器を保持する保持具をさらに有し、前記保持具は、前記液体貯留タンクの底に向けて延在する給水筒を有し、前記液体貯留タンクに貯留された前記液体は、前記給水筒を介して前記通水路に供給されることを特徴とする請求項１２記載の吐水装置。
【請求項２２】
前記発泡開始時期規制手段は、保持具を有し、前記保持具は、施蓋時に前記蓋と共働して、前記発泡剤が収納され密閉された発泡剤収納容器を変形破壊することを特徴とする請求項１記載の吐水装置。
【請求項２３】
前記発泡開始時期規制手段は、有底筒状で且つ前記液体貯留タンク内の液体に浮遊可能な発泡剤収納容器を有することを特徴とする請求項１記載の吐水装置。
【請求項２４】
前記発泡開始時期規制手段は、有底筒状の発泡剤収納容器を有し、前記発泡剤収納容器は、前記液体貯留タンク内に前記液体を貯留した状態において前記液体貯留タンクの底に接し且つその上部開放端が前記液体の液面から露出することを特徴とする請求項１記載の吐水装置。
【請求項２５】
前記発泡開始時期規制手段は、発泡剤収納容器と、前記液体貯留タンク内の前記口の近傍部に配設された発泡剤収納容器保持部と、を有することを特徴とする請求項１記載の吐水装置。
【請求項２６】
前記通水路の一部は前記液体貯留タンク内で延在し、前記延在した部分は柔軟なチューブを有し、前記チューブの先端近傍に錘が取り付けられていることを特徴とする請求項１〜２５のいずれか１つに記載の吐水装置。
【請求項２７】
前記錘に浮体が取り付けられていることを特徴とする請求項２６記載の吐水装置。
【請求項２８】
前記通水路の前記他端の近傍に複数の可撓性突起体が配設されていることを特徴とする請求項１〜２７のいずれか１つに記載の吐水装置。
【請求項２９】
前記通水路の前記他端は、複数の可撓性突起体の先端にそれぞれ配設されていることを特徴とする請求項１〜２８のいずれか１つに記載の吐水装置。
【請求項３０】
前記発泡剤は、ｐＨ調整剤、保湿剤、殺菌剤、香料、消臭剤、界面活性剤、薬効成分剤の少なくとも何れかを含有することを特徴とする請求項１〜２９のいずれか１つに記載の吐水装置。
【発明の詳細な説明】
【技術分野】
【０００１】
本発明は、吐水装置に関し、より詳細には、炭酸水などの液体を吐出させ、美容・健康促進効果や洗浄作用などが得られる吐水装置に関する。
【背景技術】
【０００２】
炭酸水などのガスを含有した液体は、人体に対して、血行促進や温感刺激、角質除去、静菌作用、洗浄効果などの各種の効果を与える。従って、このような液体を、使用場所を選ばずに何処でも手軽に吐出させ使用できる小型の吐水装置があると便利である。
【０００３】
液体を吐出させる装置としては、例えば、特許文献１に開示された携帯用肛門洗浄器がある。この携帯用肛門洗浄器は、ノズルを連結したバルブボタンを上部に取り付けた容器と、容器底部のネジ式蓋からなるもので、容器内の水に発泡錠剤を入れ、融解させ、発生する気体によって、容器内部に圧力を与え、ノズルより水を噴射させることを特徴とする。
【特許文献１】特開平４−５８９１９号公報
【発明の開示】
【発明が解決しようとする課題】
【０００４】
しかし、特許文献１に開示された携帯用肛門洗浄器の場合、容器内の水に発泡錠剤を投入した後に、ネジ式蓋を施蓋するので、施蓋による密閉空間の形成前に発泡錠剤の溶解が開始し、発生したガスの一部が施蓋前に散逸する可能性があるという問題があった。  
本発明は上記問題に鑑みてなされたものであり、容器内で発生したガスが施蓋前に散逸するおそれのない吐水装置を提供することを目的とする。
【課題を解決するための手段】
【０００５】
上記目的を達成するため、本発明の吐水装置は、液体貯留タンクと、前記液体貯留タンクの口に係合し前記液体貯留タンクと共働して密閉空間を形成する蓋と、一端が前記密閉空間に連通可能であり他端が前記密閉空間外で開口する通水路と、前記通水路を開閉する開閉弁と、を備え、前記密閉空間内で発泡剤を液体に溶解させてガスを発生させ、前記ガスにより加圧された液体を吐出する吐水装置であって、施蓋により密閉空間が形成された後に前記発泡剤の前記液体への溶解を開始させる発泡開始時期規制手段をさらに備えたことを特徴とする。
【０００６】
上記構成によれば、発泡開始時期規制手段又は発泡開始時期規制手段と所定の操作とにより、発泡剤と洗浄水の反応開始時期が、施蓋による密閉空間の形成後に規制されるので、発生したガスが、施蓋前に散逸するおそれは無い。  
ここで、本願明細書において、「溶解」とは発泡剤の略全体が液体に接触して活発にガスが発生する状態を意味し、発泡剤の極一部が水滴などに接触して僅かなガスが発生する状態を含まないものとする。
【０００７】
ここで、前記発泡開始時期規制手段は、前記液体貯留タンクの前記口に装着可能な発泡剤収納容器を有するものとすることができる。液体貯留タンクに水などの液体を入れ、発泡剤を入れた発泡剤収納容器を液体貯留タンクの口に装着し、施蓋して密閉空間を形成し、液体貯留タンクを逆さまにし、若しくは傾ければ、発泡剤が液体に接触して溶解が開始される。
【０００８】
また、前記発泡剤収納容器の内部空間は、前記液体貯留タンクの前記口への前記発泡剤収納容器の装着時に前記液体貯留タンクの内部空間と連通するものとすることができる。施蓋後に吐水装置を逆さにし或いは傾けると、連通部を介して発泡剤収納容器へ液体が直ちに侵入し、発泡剤が液体に接触して溶解が開始される。
【０００９】
また、前記発泡剤収納容器の遊動空間が前記蓋に形成され、施蓋後に前記発泡剤収納容器を前記遊動空間内で遊動させることにより、前記発泡剤収納容器の内部空間が液体貯留タンクの内部空間と連通するものとすることができる。施蓋後に吐水装置を逆さにし或いは傾けると、発泡剤収納容器が液体貯留タンクの口から離れて遊動空間へ移動する。発泡剤収納容器が口から離れることにより、液体が遊動空間へ流入し、遊動空間内で発泡剤が液体に接触して溶解が開始される。
【００１０】
また、前記発泡開始時期規制手段は、前記液体貯留タンクの前記口に装着された前記発泡剤収納容器の内部空間と前記液体貯留タンクの内部空間との間の連通路を開閉する開閉装置を有するものとすることができる。液体貯留タンクに水などの液体を入れ、発泡剤を入れた発泡剤収納容器を液体貯留タンクの口に装着し、施蓋して密閉空間を形成し、発泡剤収納容器の内部空間と液体貯留タンクの内部空間との間の連通路を閉じておけば、直ちに使用できる状態の吐水装置を持ち歩くことができる。使用時には、前記連通路を開き、液体貯留タンクを逆さまにし、若しくは傾ければ、発泡剤収納容器内の発泡剤が液体に接触して溶解が開始される。
【００１１】
また、前記発泡開始時期規制手段は、前記液体貯留タンクの口に装着可能な発泡剤把持具を有するものとすることができる。液体貯留タンクに水などの液体を入れ、発泡剤を把持した発泡剤把持具を液体貯留タンクの口に装着し、施蓋して密閉空間を形成し、液体貯留タンクを逆さまにし、若しくは傾ければ、発泡剤が液体に接触して溶解が開始される。
【００１２】
また、前記発泡開始時期規制手段は、前記蓋に装着可能な発泡剤収納容器を有するものとすることができる。液体貯留タンクに水を入れ、発泡剤を入れた発泡剤収納容器を蓋に装着し、或いは発泡剤を把持した発泡剤把持具を蓋に装着し、施蓋して密閉空間を形成し、液体貯留タンクを逆さまにし、若しくは傾ければ、発泡剤が液体に接触して溶解が開始される。
【００１３】
また、前記発泡開始時期規制手段は、前記蓋に装着された前記発泡剤収納容器の内部空間と前記液体貯留タンクの内部空間との間の連通路を開閉する開閉装置を有するものとすることができる。液体貯留タンクに水などの液体を入れ、発泡剤を入れた発泡剤収納容器を蓋に装着し、施蓋して密閉空間を形成し、発泡剤収納容器の内部空間と液体貯留タンクの内部空間との間の連通路を閉じておけば、直ちに使用できる状態の吐水装置を持ち歩くことができる。使用時に前記連通路を開き、液体貯留タンクを逆さまにし、若しくは傾ければ、発泡剤収納容器内の発泡剤が液体に接触して溶解が開始される。
【００１４】
また、前記発泡開始時期規制手段は、前記蓋に形成された発泡剤把持部を有し、前記発泡剤把持部は施蓋により前記液体貯留タンクの内部空間に直接対峙するものとすることができる。液体貯留タンクに水などの液体を入れ、発泡剤把持部に発泡剤を装着し、施蓋して密閉空間を形成し、液体貯留タンクを逆さまにし、若しくは傾ければ、発泡剤が液体に接触して溶解が開始される。発泡剤把持部は施蓋により液体貯留タンクの内部空間に直接対峙するので、発泡剤把持部に装着された発泡剤も施蓋により液体貯留タンクの内部空間、ひいては当該内部空間に貯留された液体に直接対峙する。この結果、両者の接触により発泡剤が速やかに液体全体に溶解し、蓋と液体貯留タンクとにより形成された密閉空間が速やかに加圧される。
【００１５】
また、前記発泡開始時期規制手段は、前記蓋に取り付けられた可動爪を含む発泡剤把持具を有するものとすることができる。液体貯留タンクに水などの液体を入れ、発泡剤把持具に発泡剤を装着し、施蓋して密閉空間を形成し、発泡剤把持具の可動爪を動かして発泡剤の把持を解除すれば、発泡剤は液体貯留タンク内の液体中に落下し、液体に接触して溶解が開始される。液体貯留タンクを逆さまにし或いは傾けなくても、発泡剤の液体への溶解を開始させることができる。
【００１６】
また、前記蓋は、前記発泡剤を収納する収納容器を兼ね、前記発泡開始時期規制手段は、前記口を開閉する開閉弁を有するものとすることができる。発泡剤投入口を開閉する開閉弁を閉じ、発泡剤を入れた発泡剤収納容器を発泡剤投入口に装着し、液体貯留タンクに水などの液体を入れ、施蓋して密閉空間を形成しておけば、直ちに使用可能な吐水装置を持ち歩くことができる。使用時に、発泡剤投入口を開閉する開閉弁を開けば、発泡剤が液体に接触して溶解が開始される。
【００１７】
また、前記発泡開始時期規制手段は、爪部材を有し、前記爪部材は、前記施蓋時に、前記発泡剤が収納され密閉された発泡剤収納容器を破壊するものとすることができる。施蓋時に発泡剤収納容器が爪部材により破壊されて発泡剤が液体へ投入され、溶解が開始される。発泡剤収納容器が密閉されているので、濡れた手でも発泡剤収納容器を取り扱えるという利点があり、また発泡剤収納容器を多湿環境下でも保管できるという利点がある。またここで、爪部材は、蓋に設けてもよく、後述する保持具に設けてもよい。
【００１８】
またこの場合、前記発泡開始時期規制手段は、前記発泡剤収納容器を前記爪部材から遠ざかる方向へ付勢する弾性部材を有するものとすることができる。施蓋前に発泡剤収納容器が爪部材により破壊される事態の発生が弾性部材により防止される。
【００１９】
また、前記発泡開始時期規制手段は、前記発泡剤収納容器を保持する保持具をさらに有し、前記保持具は、その底部に貫通穴が形成されてなるものとすることができる。保持具に貫通穴を設けることにより、発泡剤収納容器に収納された発泡剤と、液体貯留タンク内の液体との接触経路を確保することができる。
【００２０】
また、前記発泡剤収納容器は、内部に前記発泡剤が収納された容器本体と前記容器本体の開口を塞ぐ蓋部とを有し、前記発泡開始時期規制手段は、前記発泡剤収納容器を保持する保持具をさらに有し、前記発泡剤収納容器は、前記保持具の底部に設けられた前記爪部材に対して、前記蓋部が対向するように保持され、前記爪部材は、前記保持具の前記底部に設けられた貫通穴を取り囲むように、前記底部から上方に向けて、一部に切り欠きを有する筒状に形成されたものとすることができる。  
貫通穴を取り囲むように筒状の爪部材を設けることにより、爪部材によって切断された蓋部が爪部材に押されて容器本体の内側に倒れ込み、発泡剤と液体との接触の経路を確保しやすくなる。また、筒状の爪部材に切り欠きを設けることにより、この切り欠き部において発泡剤収納容器の蓋部を分離させず、容器本体につながった状態とできる。このため、蓋部が分離してタンク内を浮遊し、発泡剤収納容器内への液体の流入をじゃましたり、あるいは通水路を塞いで発泡水の流出をじゃまするという問題を解消できる。
【００２１】
なおここで、「筒状」とは、その横断面が円形である円筒状のものに限定されず、その他にも、例えば横断面が三角形や四角形や六角形などの多角形状の筒状ものや、楕円その他各種の不定形の形状からなる筒状も含むものとする。
【００２２】
また、前記発泡剤収納容器は、内部に前記発泡剤が収納された容器本体と前記容器本体の開口を塞ぐ蓋部とを有し、前記発泡開始時期規制手段は、前記発泡剤収納容器を保持する保持具をさらに有し、前記発泡剤収納容器は、前記保持具の底部に設けられた前記爪部材に対して、前記蓋部が対向するように保持され、前記爪部材は、前記保持具の前記底部に設けられた貫通穴を取り囲むように、前記底部から上方に向けて筒状に形成され、且つその上端は、前記底部に対して斜めに切断された先端部を有するものとすることができる。
【００２３】
貫通穴を取り囲むように筒状の爪部材を設けることにより、爪部材によって切断された蓋部が爪部材に押されて容器本体の内側に倒れ込み、発泡剤と液体との接触の経路を確保しやすくなる。また、爪部材の先端を斜めに形成することにより、施蓋時に、発泡剤収納容器の蓋部を爪部材の最先端から順次切断し、且つ、分離させずに容器本体につながった状態にすることができる。このため、蓋部が分離してタンク内を浮遊し、発泡剤収納容器内への液体の流入をじゃましたり、あるいは通水路を塞いで発泡水の流出をじゃまするという問題を解消できる。
【００２４】
またさらに、前記発泡剤収容容器の前記蓋部は、前記施蓋時に、前記爪部材により破壊され、前記蓋部の破壊後に、前記開閉弁の前記開閉の動作が前記発泡剤収容容器と干渉しないものとすれば、例えば開閉弁を開ける動作が発泡剤収容容器により阻害されることはない。また、例えば吐水流の圧力によって発泡剤収容容器が開閉弁の方向に動いた場合でも、開閉弁の開動作が阻害されることはない。
【００２５】
またさらに、前記発泡剤収容容器の前記蓋部は、前記施蓋時に、前記爪部材により破壊され、前記蓋部の破壊後に、前記発泡剤収容容器の少なくとも一部が前記液体貯留タンクの口よりも上方に突出してなるものとすれば、例えば、使用後に使用者が吐水装置を再び開蓋し、使用済みの発泡剤収容容器を手でつまんで容易に取り外すことができる。また、例えば、使用後に吐水装置を放置して発泡剤の残りによって発泡剤収容容器が保持具に固着したような場合でも、使用者は、液体貯留タンクの口から突出した発泡剤収容容器の上端を手などでつまんで容易に取り外すことができる。
【００２６】
またさらに、前記液体貯留タンクに、液体位を規定する目盛が設けられ、前記爪部材は、前記施蓋時に、前記目盛よりも上に設けられたものとすることができる。液体水位を規定することにより、密閉空間内に適正体積の空気層を形成し、密閉空間の内圧を適正化することができる。そして、爪部材を液体貯留タンク内の液体よりも上に配置すれば、液体により濡れない状態とできる。従って、発泡剤収納容器内に収納された例えば粉状の発泡剤を、爪部材などに付着させずに、その自重によって円滑に液体中に投入することができる。つまり、吐水装置を振らなくても、発泡剤を液体中に投入することが可能である。
【００２７】
または、前記液体貯留タンクに、液体位を規定する目盛が設けられ、前記爪部材は、前記施蓋時に、前記目盛よりも下に設けられたものとすることもできる。液体水位を規定することにより、密閉空間内に適正体積の空気層を形成し、密閉空間の内圧を適正化することができる。また、爪部材を、液体貯留タンク内において液体に水没するように配置すれば、施蓋時に、爪部材により発泡剤収納容器が破壊されると同時に、液体がその内部に侵入し、発泡剤の溶解が開始される。つまり、施蓋とほぼ同時に発泡剤の溶解を開始させることができる。またさらに、例えば、発泡剤の一部が爪部材にひっかかって、タンク内に落下しないような場合でも、爪部材が水没しているので、その位置で発泡剤を溶解させることができる。
【００２８】
また、前記発泡開始時期規制手段は、前記発泡剤収納容器を保持する保持具をさらに有し、前記保持具は、前記液体貯留タンクの底に向けて延在する給水筒を有し、前記液体貯留タンクに貯留された前記液体は、前記給水筒を介して前記通水路に供給されるものとすることができる。爪部材により破壊された発泡剤収納容器から放出された発泡剤は、給水筒を介して液体全体に溶解し、且つ、加圧された液体は、給水筒を介して通水路に供給されるので、吐水口をタンクよりも上側にした、いわゆる「上向き吐水」が可能となる。
【００２９】
また、前記発泡開始時期規制手段は、保持具を有し、前記保持具は、施蓋時に前記蓋と共働して、前記発泡剤が収納され密閉された発泡剤収納容器を変形破壊するものとすることもできる。蓋により発泡剤収納容器を押圧して変形され圧縮圧縮することにより、例えば、その蓋を剥離させたり破壊することにより、内部の発泡剤を放出させることが可能である。このようにすれば、爪部材が必要でなくなる。
【００３０】
また、前記発泡開始時期規制手段は、有底筒状で且つ前記液体貯留タンク内の液体に浮遊可能な発泡剤収納容器を有するものとすることができる。液体貯留タンクに水などの液体を入れ、発泡剤収納容器を液体貯留タンクへ挿入し、液体に浮かばせる。施蓋後に吐水装置を逆さまにし或いは傾けると、発泡剤収納容器内の発泡剤が液体に投入され、溶解が開始される。
【００３１】
または、前記発泡開始時期規制手段は、有底筒状の発泡剤収納容器を有し、前記発泡剤収納容器は、前記液体貯留タンク内に前記液体を貯留した状態において前記液体貯留タンクの底に接し且つその上部開放端が前記液体の液面から露出するものとすることができる。タンク内において液体のレベルよりも長い発泡剤収納容器を配置することにより、多少の揺れなどによっても、発泡剤収納容器の内部に液体が侵入することを防ぎ、また、大量の発泡剤を投入することも可能となる。
【００３２】
また、前記発泡開始時期規制手段は、発泡剤収納容器と、前記液体貯留タンク内の前記口の近傍部に配設された発泡剤収納容器保持部と、を有するものとすることができる。液体貯留タンクに水などの液体を入れ、発泡剤を入れた発泡剤収納容器を発泡剤収納容器保持部に保持させ、施蓋して密閉空間を形成し、液体貯留タンクを逆さまにし、若しくは傾ければ、発泡剤が液体に接触して溶解が開始される。
【００３３】
また、前記通水路の一部は前記液体貯留タンク内で延在し、前記延在した部分は柔軟なチューブを有し、前記チューブの先端近傍に錘が取り付けられているものとすることができる。通水路の一端が確実に没水するので、上向きでも下向きでも横向きでも安定した吐水を得ることができる。またさらに、錘に浮体を設けることにより、通水路の一端をさらに確実に没水させ、確実に吐水させることができる。
【００３４】
また、前記通水路の前記他端の近傍に複数の可撓性突起体が配設されているものとすることができる。人体の頭部に吐水する場合などに、可撓性突起により頭皮が刺激され、頭皮の血行が促進される。またさらに、前記通水路の前記他端は、複数の可撓性突起体の先端にそれぞれ配設されているものとすれば、通水路の他端が頭皮に接近するので、使用者の快適感が増加する。
【００３５】
また、前記発泡剤は、ｐＨ調整剤、保湿剤、殺菌剤、香料、消臭剤、界面活性剤、薬効成分剤の少なくとも何れかを含有するものとすることができる。吐出される発泡水に各種の効果を付加することができる。
【発明の効果】
【００３６】
以上詳述したように、本発明に係る吐水装置においては、発泡開始時期規制手段を設けたことにより、発泡剤が液体に溶解する発泡開始時期が、施蓋による密閉空間の形成後に規制されるので、発生したガスが、施蓋前に散逸するおそれは無い。このため、液体貯留タンク内の圧力を高くし、炭酸ガスなどの含有濃度が高い発泡水を長時間に亘って吐出させることができるので、炭酸ガスなどによる各種の効果を高めることができる。
【発明を実施するための最良の形態】
【００３７】
以下、図面を参照しつつ、本発明の実施の形態について説明する。  
図１は、本発明の第１の実施例にかかる吐水装置の断面構造を表す模式図である。  
すなわち、本実施例の吐水装置Ａは、液体貯留タンク１と、液体貯留タンク１の口１ａに係合し、液体貯留タンク１と共働して密閉空間を形成する蓋２と、を備えている。液体貯留タンク１には、貯水すべき水位を規定する目盛１′が形成され或いは表示されている。一方、蓋２には、通水路３が形成されている。通水路３の一端は、タンク１内の密閉空間に連通可能であり、他端は密閉空間外で開口する。
【００３８】
吐水装置Ａは、また、通水路３を開閉する開閉弁４と、通水路３の途上に配設された減圧装置５と、を適宜備えている。減圧装置５は、多孔質体、定流量弁、調圧弁等により構成されている。通水路３の蓋２から突出する部分が、吐水ノズル６を構成している。  
また、開閉弁４を手動操作するための操作スイッチ７が蓋２に取り付けられている。そして、吐水ノズル６を保護すると共に携帯の際にノズルや蓋２に付着した水が衣類を濡らすのを防止するためのキャップ８が、蓋２に装着されている。
【００３９】
吐水装置Ａは、液体貯留タンク１の口１ａに挿入して装着可能な発泡剤収納容器９を備えている。発泡剤収納容器９の囲壁には複数の小穴９ａが形成されている。発泡剤収納容器９の中には、例えば炭酸塩と有機酸とを主成分とする粒状などの発泡剤１０が、収納されている。
【００４０】
次に、吐水装置Ａの作動を説明する。  
図１に表したように、使用者は、蓋２を液体貯留タンク１から取り外し、発泡剤収納容器９を液体貯留タンク１の口１ａから取り外し、目盛１′の水位まで液体貯留タンク１に注水する。次いで、発泡剤１０が収容された発泡剤収納容器９を口１ａに装着する。発泡剤収納容器９の内部空間は、複数の小穴９ａを介して液体貯留タンク１の内部空間に連通する。その後、蓋２を口１ａに係合させることにより、蓋２と液体貯留タンク１とが共働して密閉空間を形成する。密閉空間内には、空気層と液体層とが形成される。  
次に、図２（ａ）に表したように、使用者は、吐水装置Ａを逆さまにし、若しくは傾けて、蓋２を下方へ差し向け、吐水装置Ａを軽く揺する。密閉空間内の液体が小穴９ａを介して発泡剤収納容器９へ直ちに流入し、発泡剤１０と接触する。すると、発泡剤１０と液体とが反応して、炭酸ガスが発生する。
【００４１】
例えば、発泡剤１０に、炭酸水素ナトリウム（3NaHCO3：重曹）と、有機酸たとえばクエン酸などの果実酸（HOOC-C(OH)(CH2COOH)2）とを配合した場合、これらが水に溶解すると、以下の反応により、炭酸ガス（CO2）が発生する。
3NaHCO3 ＋HOOC-C(OH)(CH2COOH)2
→ NaOOC-C(OH)(CH2COONa)2＋3H2O＋3CO2
なおここで、反応生成物 NaOOC-C(OH)(CH2COONa)2は、クエン酸ナトリウムである。これら配合剤及び反応生成物は、いずれも食品添加物などとして用いられるものであり、人体に害を及ぼす心配はない。
【００４２】
このようにして発生した炭酸ガスは、前記密閉空間内の液体に溶解すると共に、前記密閉空間内の空気層に合流して、空気層の圧力を上昇させ、前記密閉空間内の液体を加圧する。
【００４３】
次に、図２（ｂ）に表したように、発泡剤と液体との反応が概ね終了した後、使用者は、逆さまにした状態で吐水装置Ａを手で持ち、キャップ８を蓋２から取り外し、吐水ノズル６の先端を所望の処理部位へ差し向ける。
【００４４】
使用者が、操作スイッチ７を押圧して開閉弁４を開くと、加圧された液体が、発泡剤収納容器９と蓋２との間の隙間を通って通水路３へ流入し、開閉弁４を通過し、減圧装置５に到達する。減圧装置５を通過する際の圧力損失により、減圧した液体中で、溶存していた炭酸ガスが気化して気泡が発生する。発生した気泡は微細気泡となって、液体中に分散混入する。  
その結果として、多数の微細気泡が分散混入した液体の気泡流が吐水ノズル６の先端から吐出する。気泡が分散混入された気泡流により、適度に刺激があり且つ柔らな感触の吐水が得られ。
【００４５】
本実施例に係る吐水装置によれば、目盛１′の水位まで液体貯留タンク１に注水し、発泡剤１０が収納された発泡剤収納容器９を口１ａに装着することにより、施蓋前の錠貯留液体と発泡剤収納容器９との接触を防止することができる。そして、液体貯留タンク１を施蓋して密閉空間を形成し、液体貯留タンク１を逆さまにして発泡剤１０と液体タンク内の水とを接触させることにより、発泡剤１０と液体の反応開始時期を、施蓋による密閉空間の形成後に規制することができる。従って、発生したガスが、施蓋前に散逸するおそれは無い。  
よって、溶解速度の早い粉状、粒状あるいは顆粒状などの発泡剤を用いることができ、これらを迅速に溶解させて短時間で使用を開始できる。  
また、液体の貯留水位を目盛１′の位置に規制することにより、密閉空間内に適正体積の空気層が形成され、密閉空間の内圧が適正化される。この結果、液体吐出圧が過大になり、或いは過少になる事態の発生が防止される。  
吐水装置Ａを逆さまにして使用することにより、吐水中に、通水路３の一端を液体面よりも常時下方に位置させることができる。この結果、液体貯留タンク１内の液体を使い切ることができる。蓋２と口１ａとの当接部に配設されたＯリングも、吐水の終了直前まで液体面よりも下方に位置するので、吐水の終了直前まで前記当接部の良好なシール性が確保される。
【００４６】
発泡剤収納容器９の内部空間は、液体貯留タンクの口１ａに発泡剤収納容器９を装着する際に液体貯留タンク１の内部空間と連通するので、施蓋後に吐水装置Ａを逆さにし或いは傾けると、連通部である多数の小穴９ａを介して発泡剤収納容器９へ液体が直ちに侵入し、発泡剤１０が液体に接触して両者の反応が直ちに開始され、密閉空間が直ちに加圧される。そして、加圧された炭酸水などの液体は、通水路３を介して外部に吐出される。  
本具体例においては、発泡剤収納容器９に小穴９ａが設けられているので、タンク１の中の液体は、図２（ｂ）に矢印Ｗで表したように、小穴９ａを介して通水路３に送出され、吐出される。つまり、小穴９ａは、液体に発泡剤１０を溶解させるための経路であると同時に、溶解して形成された加圧水の吐出経路としての役割も果たす。その結果として、吐水経路を別途設ける必要がなくなるので、吐水装置を小型化できるという利点がある。またさらに、発泡剤１０が収納される空間を吐水経路とすることにより、発泡剤１０を確実に溶解させ、且つ、僅かに生じうる発泡剤１０の残渣などを通水路３を介して外部に排出させることもできる。  
通水路３と開閉弁４とが蓋２に配設されているので、液体貯留タンク１を樹脂又は金属で一体成形して吐水装置Ａの耐圧強度を高めることができる。
【００４７】
本実施例の吐水装置Ａは、図２（ｂ）に表したように逆さまにして使用できるので、人体の下半身や足などに向けて使用するのに適している。お尻洗浄やビデ洗浄に用いることができるのはもちろんであるが、それ以外にも、例えば、足指や爪の洗浄にも適している。さらにまた、発泡剤により炭酸ガスを発生させる場合には、炭酸水による血行促進効果が得られる。炭酸水のｐＨを２〜３に調整すれば、角質除去効果や殺菌効果が得られる。
【００４８】
本発明者の試作検討の結果、例えば、容量が約１２０ミリリットルのタンク１に約９０ミリリットルの水を入れ、上記の炭酸水素ナトリウムと果実酸とを配合した発泡剤１０を約５グラム程度、収納容器９に収容し、密閉した後に水に溶解させると、内圧を４〜５Ｋｇｆ／ｃｍ２（およそ０．４〜０．５ＭＰａ）程度にまで加圧できることが分かった。
【００４９】
図３は、圧力と炭酸ガスの溶解量との関係を表すグラフ図である。同図に表したように、圧力を４〜５Ｋｇｆ／ｃｍ２にまで加圧すると、水９０ミリリットルに対しておよそ４００〜５００ミリリットルもの炭酸ガスを溶解させることができる。  
本実施例によれば、タンク１を密閉した後に発泡剤１０を水に溶解させガスを発生させるので、ガスの散逸による圧力の損失を解消できる。その結果として、高い濃度の炭酸水を生成し吐水させることができる。従って、多量の発泡剤１０を投入して液体貯留タンク１の内圧を高め、液体中への炭酸ガスの溶解量を増加させ、高い濃度の炭酸水を吐出させることができる。その結果として、炭酸ガスあるはその他の混合成分が有する血行促進などの各種の効果を大幅に増強することが可能となる。
【００５０】
炭酸ガスの濃度が１０００ｐｐｍ以上の炭酸水は、一般に「炭酸泉」と呼ばれ、人体に対して各種の効果を有することが知られている。これに対して、本発明によれば、炭酸ガスの濃度が３０００ｐｐｍあるいはそれ以上の高濃度の炭酸水を生成させ、水勢調節手段を設けることによって、それを安定して吐出させることができる。このような高濃度の炭酸水は、皮膚直下の血管を拡張させることにより血行を促進させる。また、皮膚の温感（受容器）を刺激し、冷感（受容器）を抑制することにより、暖まり感を与えることもできる。さらにまた、皮膚の角質を除去するピーリング効果や、静菌効果、アストリンゼント効果なども得られる。
【００５１】
またさらに、本実施例によれば、減圧装置５を設けることにより、炭酸水などの液体がこれを通過する際に減圧作用により多量の微細気泡量を発生させ、これを液体に散混入させることにより、適度に刺激があり且つ柔らかな触感を与える気泡流を吐出させることができるという効果も得られる。
【００５２】
図４は、発泡剤収納容器の他の具体例を表す模式断面図である。  
液状の発泡剤を使用する場合には、同図（ａ）に表したように、液状の発泡剤１０が収納された発泡剤収納容器９′の口を、シール材９ａ′でシールしておき、注水後の液体貯留タンク１の口１ａに発泡剤収納容器９′を装着する際に、シール材９ａ′を剥がせば良い。発泡剤収納容器９′のフランジに小穴９ｂ′を形成しておけば、小穴９ｂ′を介して発泡剤収納容器９′の内部空間と液体貯留タンク１の内部空間とが確実に連通し、吐水装置Ａを逆さまにし若しくは傾けると、発泡剤と水とが迅速且つ確実に接触する。加圧液体は、小穴９ｂ′と、発泡剤収納容器９′と蓋２との間の隙間とを通って通水路３へ流入する。
【００５３】
粉状の発泡剤を使用する場合には、図４（ｂ）に表したように、粉状の発泡剤１０が収納された有底筒状の発泡剤収納容器９″のフランジに小穴９ｂ″を形成するとよい。あるいは、図４（ｃ）に表したように、粉状の発泡剤１０が収納された有底筒状の発泡剤収納容器９″の周壁に小穴９ｃ″を形成してもよい。このようにすれば、発泡剤収納容器９″を液体貯留タンクの口１ａに装着する際に、小穴９ｂ″、９ｃ″を介して発泡剤収納容器９″の内部空間と液体貯留タンク１の内部空間とが連通し、吐水装置Ａを逆さまにし若しくは傾けると、発泡剤と水とが迅速且つ確実に接触する。加圧液体は、小穴９ｂ″、９ｃ″と、発泡剤収納容器９″と蓋２との間の隙間とを通って通水路３へ流入する。
【００５４】
図４（ｃ）に表した発泡剤収納容器９″の場合も、小穴９ｃ″は、液体に発泡剤１０を溶解させるための経路であると同時に、溶解して形成された加圧水の吐出経路としての役割も果たす。その結果として、吐水経路を別途設ける必要がなくなるので、吐水装置を小型化できるという利点がある。またさらに、発泡剤１０が収納される空間を吐水経路とすることにより、発泡剤１０を確実に溶解させ、且つ、僅かに生じうる発泡剤１０の残渣などを通水路３を介して外部に排出させることもできる。  
ここで、本発明の吐水装置に用いる発泡剤１０について具体的に説明する。  
前述したように、発泡剤１０に例えば炭酸塩と有機酸とを含有させると、液体に投入し溶解して炭酸ガスを発生させることができる。発泡剤１０に使用される炭酸塩と有機酸の具体例を以下に列挙する。
【００５５】
炭酸塩  ：ナトリウム、カリウム、リチウム、ルビジウム等のアルカリ金属の炭酸塩又は炭酸水素塩。  
有機酸  ：クエン酸、酒石酸、コハク酸、フマル酸等の有機酸、またはこれらの混合物。酸性リン酸ナトリウムもしくはカリウムを含む他の酸、またはそれらの混合物でも良い。
【００５６】
また一方、発泡剤１０には、その他、ｐＨ調整剤、保湿剤、殺菌剤、香料、消臭剤、界面活性剤、薬効成分剤等を配合させて各種の効果を得ることができる。またこれらの成分は、タンク１内に充填する液体に配合してもよい。このような配合成分の具体例を以下に列挙する。
【００５７】
ｐＨ調整剤（対象部位や使用目的に応じたｐＨを得ることができる）：クエン酸およびその塩、リン酸およびその塩、リンゴ酸およびその塩、グルコン酸およびその塩、マレイン酸およびその塩、アスパラギン酸およびその塩、コハク酸およびその塩、グルクロン酸およびその塩、フマル酸およびその塩、グルタミン酸およびその塩、アジピン酸およびその塩、乳酸およびその塩、パントテン酸およびその塩、塩酸、水酸化アルカリ金属等。
【００５８】
保湿剤あるいは湿潤剤（皮膚の角質の水分保持能力を増すことができる）：多価アルコール、乳糖等の糖類及びその誘導体、アミノ酸類及びその誘導体、水溶性高分子、酵母エキス、海草エキス、各種植物エキス、植物油脂類、ロウ類、炭化水素類、脂肪酸類、高級アルコール、エステル類、各種植物精油又はこれらの混合物等。
【００５９】
香料：ターピネオール、リナロール、シトロネロール、シトラール、リモネン、レモングラス油、ラベンダー油等、酢酸イソボニル、酢酸メンタニル、酢酸フレンチル、ボルネオール、メントール、カンファー、精油、松の抽出物、テルピノレン類、パラジクロルベンゼン、ローズ、レモン、ジャスミン、ブーケ調香料、イランイラン油等。
【００６０】
皮膚温冷感付与剤（皮膚に対して温感あるいは冷感を与えることができる）：メントール類、多価アルコール等およびこれらの混合物。
【００６１】
ビタミン作用物質（皮膚などに対してビタミンを与えることができる）：ビタミンＡ類、ビタミンＢ２類、ビタミンＢ６類、ビタミンＨ類等。より具体的には、例えば、酢酸−ｄｌ−α−トコフェロール、ｄｌ−α−トコフェロール、ニコチン酸ベンジルなどを挙げることができる。
【００６２】
界面活性剤（浸透効果、洗浄効果、気泡維持効果などが得られる）：アニオン界面活性剤、ノニオン界面活性剤、カチオン界面活性剤、両性界面活性剤（一分子中に陰陽両イオンの官能基をもつもの）等。
【００６３】
殺菌剤：塩化ベンザルコニウム、塩化ベンゼントコニウム、塩化セチルピリジニウム等。エチルアルコール、メチルアルコール、グリセリン、プロピレングリコール、エチレングリコール等。銅、亜鉛、マグネシウム、ニッケル、銀等を含む無機系抗菌剤、脂肪酸銀等。
【００６４】
消臭剤：過ホウ酸ナトリウム、次亜塩素酸、二酸化マンガン、過マンガン酸塩、ベンゾキノン、ナフトキノン酸等の酸化剤、グリオキザール、アクロレイン等のアルデキド類、ケトン類、１，２−プロピレンオキサイド、１，２−ｎ−プロピレンオキサイド等のエポキシ化合物、メタクリル酸エステル、マレイン酸誘導体等のα、β−不飽和化合物、硫酸銅、硫酸亜鉛等の金属塩、活性炭、シリカゲル、アルミナ等の吸着剤、硫酸鉄、亜鉛化合物、アルミニウム塩、珪酸塩類等の無機塩、クエン酸、アスコルビン酸鉄等の他、各種の植物抽出物、例えば、つばき科植物、緑茶の抽出物等、更に葉緑素の主成分であるクロロフィル、食品分野で利用され得る消臭物質であるジメチルアミノスルホネート、グルコサミン、サイクロデキストリン、有機酸（Ｌ−アスコルビン酸、安息香酸、グルコン酸、葉酸、ニコチン酸）等。
【００６５】
残留塩素除去成分（還元剤）：亜硫酸ナトリウム、亜硫酸カルシウム等の亜硫酸塩やチオ硫酸ナトリウム等のチオ硫酸塩、アスコルビン酸等のビタミンＣ、過酸化水素を発生して脱塩素を行う過炭酸ナトリウム等の過炭酸塩、過硫酸ナトリウム、過硫酸カリウム等の過硫酸塩、他の過酸の塩、過酸化ナトリウム、過酸化亜鉛等の金属過酸化物等。
【００６６】
洗浄成分：エチレングリコールモノエチルエーテル、ジエチレングリコールモノブチルエーテル、トリエチレングリコールモノブチルエーテル、トリプロピレングリコールジメチルエーテル、ポリオキシエチレングリコールモノブチルエーテル等の、低級アルコールにエチレンオキサイド及び／又はプロピレンオキサドを付加したアルキレングリコールルキルエーテル系溶剤等。
【００６７】
痔疾等の疾患に効果的な痔疾薬剤：酢酸ヒドロコルチゾン、酢酸プレドニゾン、塩酸ジフェンヒドラミン、塩酸フェニレフリン等の抗炎症剤、酢酸トコフェロール、ｄｌ−塩酸メチルフェドリン等の血液の循環を助ける薬剤、塩酸リドカイン、塩酸ジブカイン、アミノ安息香酸エチル、ｌ−メントール等の局所の痛み、痒みに効果的な薬剤、アラントイン等の傷口の治りを助ける薬剤等。
【００６８】
次に、本発明の第２実施例に係る吐水装置について説明する。  
図５は、本発明の第２の実施例の吐水装置の断面を表す模式図である。すなわち、本実施例に係る吐水装置Ｂも、液体貯留タンク１の口１ａに挿入して装着可能な、発泡剤収納容器１１を備えている。また、Ｏリング１２が発泡剤収納容器１１の底部周壁に外嵌している。発泡剤収納容器１１の開放端近傍の側壁には、小穴１１ａが形成されている。液体貯留タンク１の口１ａに接続する肩部１ｂに、半円環状のストッパー１３が外嵌合している。発泡剤収納容器１１の周壁外面と液体貯留タンクの口１ａの周壁内面との間の環状隙間により、肩部１ｂより下方の液体貯留タンク１の内部空間と発泡剤収納容器１１の小穴１１ａとの間の連通路１４が形成されている。  
発泡剤収納容器９に代えて上記構成を備える点を除き、吐水装置Ｂの構造は、吐水装置Ａの構造と同様とすることができる。
【００６９】
次に、吐水装置Ｂの作動について説明する。  
使用者はまず、蓋２を液体貯留タンク１から取り外し、粒状の発泡剤１０が収納された発泡剤収納容器１１を液体貯留タンク１の口１ａから取り外し、装着状態の発泡剤収納容器１１の底部に達しない水位まで液体貯留タンク１に注水する。
【００７０】
次いで、発泡剤収納容器１１を口１ａに装着する。図５（ａ）から分かるように、この状態においては、Ｏリング１２が口１ａの周壁内面に当接し、連通路１４を閉じる。  
次に、使用者は、蓋２を口１ａに係合させる。蓋２がストッパー１３に当接することにより、蓋２による発泡剤収納容器１１の押圧が停止される。この結果、Ｏリング１２が口１ａの周壁内面に当接する状態が維持され、連通路１４が閉じた状態が維持される。蓋２と液体貯留タンク１とが共働して密閉空間を形成する。密閉空間内には、空気層と液体層とが形成される。
【００７１】
吐水装置Ｂを使用する際には、使用者は、図５（ｂ）に表したように、ストッパー１３を取り外し、蓋２を液体貯留タンク１の肩部１ｂへ向けて押す。すると、蓋２が、発泡剤収納容器１１を押圧して口１ａ内へ押し込む。Ｏリング１２と口１ａの周壁内面との当接状態が解除され、連通路１４が開かれる。    
次に、使用者は、吐水装置Ｂを逆さまにし、若しくは傾けて、蓋２を下方へ差し向ける。すると、密閉空間内の液体が連通路１４と小穴１１ａを介して発泡剤収納容器１１へ流入し、発泡剤１０と接触する。発泡剤１０と液体とが反応して、炭酸ガスが発生する。炭酸ガスは前記密閉空間内の液体に溶解すると共に、前記密閉空間内の空気層に合流して、空気層の圧力を上昇させ、前記密閉空間内の液体を加圧する。  
発泡剤１０が液体に概ね溶解した後、使用者は、逆さまにした状態で吐水装置Ｂを手で持ち、キャップ８を蓋２から取り外し、吐水ノズル６の先端を所望の処理部位へ差し向ける。使用者は、操作スイッチ７を押圧して開閉弁４を開く。
【００７２】
すると、加圧された液体が、発泡剤収納容器１１と蓋２との間の隙間から通水路３へ流入し、開閉弁４を通過し、減圧装置５に到達する。減圧装置５を通過する際の圧力損失により減圧した液体中で、溶存していた炭酸ガスが気化して気泡が発生する。気泡は微細気泡となって液体中に分散混入する。多数の微細気泡が分散混入した液体の気泡流が吐水ノズル６の先端から吐出する。気泡が分散混入され適度に刺激があり且つ柔らかい感触の吐水が得られる。
【００７３】
本実施例に係る吐水装置Ｂにおいては、口１ａに装着された状態の発泡剤収納容器１１の底部に達しない水位まで液体貯留タンク１に注水し、発泡剤１０が収納された発泡剤収納容器１１を口１ａに装着し、液体貯留タンク１を施蓋して、密閉空間を形成し、次いで発泡剤１０と液体タンク内の液体とを接触させることにより、発泡剤１０と液体の反応開始時期を、施蓋による密閉空間の形成後に規制することができる。従って、発生したガスが、施蓋前に散逸するおそれは無い。
【００７４】
また、液体貯留タンク１に注水し、発泡剤１０を入れた発泡剤収納容器１１を液体貯留タンクの口１ａに装着し、施蓋して密閉空間を形成し、発泡剤収納容器１１の内部空間と液体貯留タンク１の内部空間との間の連通路１４をＯリング１２により閉じ、連通路１４が閉じた状態をストッパー１３により維持しておけば、直ちに使用できる状態の吐水装置Ｂを持ち歩くことができる。使用時にはストッパー１３を取り外して連通路１４を開き、液体貯留タンク１を逆さまにすれば、発泡剤収納容器１１内の発泡剤１０が液体に接触して両者の反応が開始される。
【００７５】
一方、本実施例に係る吐水装置Ｂにおいて、発泡剤収納容器１１を液体貯留タンク１の口１ａに装着した後施蓋するのに代えて、蓋２に発泡剤収納容器１１の係止部を形成し、発泡剤収納容器１１を蓋２に装着した後施蓋するように構成しても良い。
【００７６】
次に、本発明の第３実施例に係る吐水装置について説明する。  
図６は、本発明の第３の実施例の吐水装置の断面を表す模式図である。  
すなわち、本実施例の吐水装置Ｃは、液体貯留タンク１の口１ａに載置して装着可能な発泡剤収納容器１５を備えている。発泡剤収納容器１５の囲壁には複数の小穴１５ａが設けられている。発泡剤１０は、発泡剤収納容器１５に収納されている。蓋２に、発泡剤収納容器１５を収容すると共に適正量の空気層を形成するための凹部２′が形成されている。発泡剤収納容器９に代えて発泡剤収納容器１５を備え、蓋２に凹部２′が形成されている点を除き、吐水装置Ｃの構造は、吐水装置Ａの構造と同様である。
【００７７】
吐水装置Ｃにおいても、発泡剤１０の液体への溶解の開始時期を、施蓋による密閉空間の形成後に規制することができる。吐水装置Ｃにおいては、発泡剤収納容器の１５を口１ａに載置して装着した状態で、発泡剤収納容器１５の底部が口１ａの開放端近傍に在るので、液体貯留タンク１に、口１ａの開放端近傍まで注水しても、水位は発泡剤収納容器１５の底部に達しない。従って、液体貯留タンク１に満杯状態まで注水することができ、多量の液体を吐出することができる。
【００７８】
蓋２の凹部２′内に適正量の空気層が形成されるので、密閉空間の内圧が過大になり、液体吐出圧が過大になるおそれは無い。手歩に凹部加圧洗浄水は、発泡剤収納容器１５と蓋２との間の隙間を通って通水路３へ流入する。
【００７９】
次に、本発明の第４実施例に係る吐水装置について説明する。  
図７は、本発明の第４の実施例の吐水装置の断面を表す模式図である。  
すなわち、本実施例の吐水装置Ｄは、液体貯留タンク１の口１ａに挿入して装着可能な発泡剤把持具１６を備えている。発泡剤把持具１６は複数の把持爪１６ａを備えている。発泡剤把持具１６のフランジに複数の小穴１６ｂが形成されている。発泡剤収納容器９に代えて発泡剤把持具１６を備える点を除き、吐水装置Ｄの構成は吐水装置Ａの構造と同様とすることができる。
【００８０】
吐水装置Ｄにおいては、把持爪１６ａで塊体状の発泡剤１０を把持した発泡剤把持具１６を、液体貯留タンク１の口１ａに挿入して装着する。液体貯留タンク１を施蓋して密閉空間を形成した後、吐水装置Ｄを逆さまにし、若しくは傾けて、発泡剤１０と水とを接触させ、両者の反応を開始させる。加圧液体は、小穴１６ｂと、発泡剤把持具１６と蓋２との間の隙間とを通って、通水路３へ流入する。
【００８１】
次に、本発明の第５実施例に係る吐水装置について説明する。  
図８は、本発明の第５の実施例の吐水装置の断面を表す模式図である。  
すなわち、本実施例の吐水装置Ｅは、蓋２に形成された係合突起２ａに係合可能な係合突起１７ａを有する発泡剤収納容器１７を備えている。発泡剤収納容器１７の囲壁に多数の小穴１７ｂが形成されている。粒状の発泡剤１０が発泡剤収納容器１７に収納されている。蓋２に、吐水装置Ｃと同様の凹部２′が形成されている。蓋２に凹部２′と係合突起２ａとが形成され、発泡剤収納容器９に代えて発泡剤収納容器１７を備える点を除き、吐水装置Ｅの構造は吐水装置Ａの構造と同様とすることができる。
【００８２】
吐水装置Ｅにおいては、係合突起１７ａを係合突起２ａに係合させて、発泡剤１０を収納した発泡剤収納容器１７を蓋２に装着する。液体貯留タンク１を施蓋して密閉空間を形成した後、吐水装置Ｅを逆さまにし、若しくは傾けて、発泡剤１０と水とを接触させ、両者の反応を開始させる。加圧液体は、発泡剤収納容器１７と蓋２との間の隙間を通って、通水路３へ流入する。発泡剤収納容器１７を蓋２に装着するので、液体貯留タンク１に、満水状態まで注水できる。  
発泡剤収納容器１７に代えて、発泡剤把持具１６と同様の塊体状の発泡剤を把持した発泡剤把持具を、発泡剤収納容器１７と同様の態様で、蓋２に装着しても良い。
【００８３】
次に、本発明の第６実施例に係る吐水装置について説明する。  
図９は、本発明の第６の実施例の吐水装置の断面を表す模式図である。  
すなわち、本実施例の吐水装置Ｆは、蓋２に形成された複数の把持爪１８ａから成る発泡剤把持部１８を備えている。発泡剤把持部１８により塊体状の発泡剤１０が把持される。蓋２に、吐水装置Ｃと同様の凹部２′が形成されている。発泡剤把持部１８は、施蓋により、液体貯留タンク１の内部空間に直接対峙する。蓋２には凹部２′が形成され、発泡剤収納容器９に代えて発泡剤把持部１８を備える点を除き、吐水装置Ｆの構造は吐水装置Ａの構造と同様とすることができる。
【００８４】
吐水装置Ｆにおいては、発泡剤把持部１８に塊体状の発泡剤１０を把持させる。液体貯留タンク１を施蓋して密閉空間を形成した後、吐水装置Ｆを逆さまにし、若しくは傾けて、発泡剤１０と液体とを接触させ、両者の反応を開始させる。発泡剤１０を蓋２に装着するので、液体貯留タンク１に、満水状態まで注水できる。発泡剤把持部１８は施蓋により液体貯留タンク１の内部空間に直接対峙するので、発泡剤把持部１８に装着された発泡剤１０も施蓋により液体貯留タンク１の内部空間、ひいては当該内部空間に貯留された液体に直接対峙する。この結果、発泡剤１０と液体との接触により発泡剤１０が速やかに液体全体に溶解し、蓋２と液体貯留タンク１とが共働して形成した密閉空間が速やかに加圧される。
【００８５】
次に、本発明の第７実施例に係る吐水装置について説明する。  
図１０は、本発明の第７の実施例の吐水装置の断面を表す模式図である。  
すなわち、本実施例の吐水装置Ｇは、蓋２に形成された固定爪１９ａと、蓋２に取り付けられた可動爪１９ｂとを有する発泡剤把持具１９を備えている。可動爪１９ｂは、蓋２の囲壁を貫通している。可動爪１９ｂの蓋２外へ突出した端部に操作ツマミ１９ｃが取り付けられている。蓋２に、吐水装置Ｃと同様の凹部２′が形成されている。蓋２に凹部２′が形成され、発泡剤収納容器９に代えて発泡剤把持具１９を備える点を除き、吐水装置Ｇの構造は吐水装置Ａの構造と同様とすることができる。
【００８６】
吐水装置Ｇにおいては、発泡剤把持具１９の固定爪１９ａと可動爪１９ｂとに塊体状の発泡剤１０を把持させる。液体貯留タンク１を施蓋して密閉空間を形成した後、ツマミ１９ｃを外側へ引いて可動爪１９ｂを発泡剤１０から離脱させる。発泡剤１０が液体貯留タンク１内の液体中に落下し、発泡剤１０が水に接触し、両者の反応が開始する。液体貯留タンク１を逆さまにしなくても、発泡剤″と液体との反応を開始させることができる。
【００８７】
次に、本発明の第８実施例に係る吐水装置について説明する。  
図１１は、本発明の第８の実施例の吐水装置の断面を表す模式図である。  
すなわち、本実施例の吐水装置Ｈは、液体貯留タンク１の口１ａとは異なる部位に形成された発泡剤投入口１ｃと、発泡剤投入口１ｃに装着可能な蓋２０と、発泡剤投入口１ｃを開閉する開閉弁２１とを備えている。蓋２０は、発泡剤収納容器を兼ね、また突起２０ａを有する。開閉弁２１は、バネ２１ａにより通常閉状態に付勢されている。発泡剤収納容器９に代えて発泡剤投入口１ｃと、蓋２０と、開閉弁２１とを備える点を除き、吐水装置Ｈの構造は、吐水装置Ａの構造と同様とすることができる。
【００８８】
吐水装置Ｈにおいては、バネ２１ａの付勢力の下に、開閉弁２１により発泡剤投入口１ｃを閉じ、粒状や液状などの発泡剤１０を入れた蓋２０を発泡剤投入口１ｃに螺合装着し、液体貯留タンク１に水を入れ、施蓋して密閉空間を形成しておく。使用時には、蓋２０を発泡剤投入口１ｃに更に深くまで螺合させる。突起２０ａが開閉弁２１に当接し、バネ２１ａの付勢力に抗して開閉弁２１を駆動し、発泡剤投入口１ｃを開く。発泡剤１０と液体とが接触し、発泡剤１０の溶解が開始する。
【００８９】
バネ２１ａの付勢力の下に、開閉弁２１により発泡剤投入口１ｃを閉じ、粒状や液状などの発泡剤１０を入れた蓋２０を発泡剤投入口１ｃに螺合装着し、液体貯留タンク１に水を入れ、施蓋して密閉空間を形成しておくことにより、直ちに使用可能な吐水装置Ｈを持ち歩くことができる。
【００９０】
ここで、本発明においては、発泡剤１０の粒径を小さくすると、水に対する溶解速度が上昇し、密閉空間の加圧速度が上昇し、吐水装置の使用直前の待機時間が短縮される。粒径の小さな発泡剤１０を使用する場合には、発泡剤収納容器９、１１、１５、１７を金属メッシュで構成するのが望ましい。収納容器の囲壁に多数の微細小穴を形成する手間を省くことができる。発泡剤１０の粒径を大きくすると、発泡剤１０の取り扱いが容易になると共に、収納容器の囲壁に形成する小穴の径も大きくなるので、小穴の形成が容易になる。この場合には、発泡剤収納容器を樹脂成形するのが望ましい。
【００９１】
図１２は、本実施例の変型例を表す模式図である。同図については、図１１に表したものと同様の要素については、同一の符号を付して詳細な説明は省略する。  本変形例の吐水装置Ｈ′の場合、通水路３の一部は液体貯留タンク１内で延在し、この延在部分は柔軟なチューブ４０を有している。チューブ４０の先端の近傍には、多孔質セラミック、高比重樹脂焼結体等の多孔質体、樹脂焼結体と重量物の結合体、目の細かな金網等で構成された錘４２が取り付けられている。チューブ４０の他端は蓋２に固定され、通水路３の蓋２内で延在する部分に連通している。  
このようにすれば、図１２に表したように吐水ノズル６を上にして吐水装置Ｈ′を使用しても、或いは吐水ノズル６を下にして吐水装置Ｈ′を使用しても、或いは吐水ノズル６を横にして吐水装置Ｈ′を使用しても、錘４２が取り付けられたチューブ４０の一端は錘４２に引かれて確実に没水し、吐水ノズル６から確実に気泡流が吐出する。
【００９２】
後に詳述するように、本変型例の吐水装置Ｈ′は、炭酸ガスなどを含有した発泡水を頭部や顔あるいは上半身などに噴出塗布する用途に適している。この場合は、図１２に表したように、吐水ノズル６を上にして使用できる。
【００９３】
一方、本変型例の吐水装置Ｈ′は、下半身や足指、爪などに対する使用にも適している。この場合には、吐水ノズル６を下にし、ノズル６先端の吐水口を斜め上方または下方に差し向けて吐水装置Ｈ′を使用することになるが、前述の如く錘４２が取り付けられたチューブ４０の一端は確実に水没するので、吐水ノズル６から確実に気泡流が吐出する。
【００９４】
これらいずれの場合にも、炭酸水による血行促進効果が得られる。また、炭酸水のｐＨを２〜３に調整すれば、角質除去効果や殺菌効果が得られる。
【００９５】
図１３は、液体貯留タンク１内に延在するチューブの先端付近の変型例を表す模式断面図である。同図に表したように、チューブ４０の先端近傍に取り付けられた錘４２に、浮体４４を取り付けても良い。通水路３を形成するチューブ４０の先端が浮体４４の下側になり確実に没水するので、確実に気泡流を吐水することができる。
【００９６】
次に、本発明の第９実施例に係る吐水装置について説明する。  
図１４は、本発明の第９の実施例の吐水装置の断面を表す模式図である。  
本実施例の吐水装置Ｉは、粉状、粒状、塊状あるいは液体状の発泡剤１０を収容した有底筒状の発泡剤収納容器９″を、液体貯留タンク１の口１ａに設置可能としている。一方、蓋２には、発泡剤収納容器９″の遊動空間Ｓが形成されている。発泡剤収納容器９″のフランジ部を口１ａに係合させて発泡剤収納容器９″を液体貯留タンクの口１ａに装着し、施蓋して密閉空間を形成した後に発泡剤収納容器９″を遊動空間Ｓ内で遊動させて、発泡剤収納容器９″の内部空間を液体貯留タンク１の内部空間と連通させても良い。
【００９７】
図１５は、本実施例の吐水装置Ｉの使用方法を説明する模式図である。  
施蓋後に吐水装置Ｉを逆さにし或いは傾けると、発泡剤収納容器９″が洗浄水貯留タンクの口１ａから離れて遊動空間Ｓへ移動する。発泡剤収納容器９″のフランジが口１ａから離れることにより、液体が遊動空間Ｓへ流入し、遊動空間Ｓ内で発泡剤１０が液体に接触して両者の反応が開始される。施蓋前は、発泡剤収納容器９″のフランジが口１ａに当接することにより収納容器９″は、液体から隔絶されるので、液体貯留タンク１内の液体と発泡剤１０との接触が阻止されている。従って、発泡剤１０と液体との反応開始時期を確実に施蓋後とすることができる。
【００９８】
通水路３のタンク１内部空間への開口端を遊動空間Ｓの端部や側面に開口させ、または、複数の開口を設けることにより、図１５（ｂ）に表した状態において、通水路３の開口と発泡剤収納容器９″との干渉を防ぎ、通水路３の開口が収納容器９″により塞がれるという問題を回避できる。
【００９９】
次に、本発明の第１０実施例に係る吐水装置について説明する。  
図１６は、本発明の第１０の実施例の吐水装置の断面を表す模式図である。  
本実施例の吐水装置Ｊは、複数の小穴２２ａが形成され底部内面に爪２２ｂが形成された有底筒状の保持具２２を有する。  
使用者は、この保持具２２を液体貯留タンクの口１ａに装着し、粒状、液状あるいは粉状の発泡剤１０を収納した密閉容器２９を保持具２２に挿入する。しかる後に蓋２を閉めると、施蓋時に蓋２に形成した突起２ａと爪２２ｂとにより密閉容器２９が挟持破壊され、発泡剤１０が液体に投入される。すなわち、施蓋時に密閉空間が形成されると共に密閉容器２９が破壊されて発泡剤１０が液体へ投入されて溶解が直ちに開始され、密閉空間が直ちに加圧される。この時、爪２２ｂは、タンク１内の液体よりも上に配置されているので、濡れていない。従って、密閉容器２９内に収納された例えば粉状の発泡剤１０を、爪２２ｂなどに付着させずに、その自重によって円滑に液体中に投入することができる。つまり、吐水装置を振らなくても、発泡剤１０を液体中に投入することが可能である。
【０１００】
またここで、図１６（ａ）に破線で表したように、密閉容器２９を爪２２ｂから遠ざかる方向へ付勢するバネ２２ｃを、保持具２２内に配設しても良い。このようにすれば、密閉容器２９を保持具２２に挿入する際に、密閉容器２９が誤って爪２２ｂに押し付けられ破壊される事態の発生が防止される。
【０１０１】
図１７は、本実施例の変型例の吐水装置の断面を表す模式図である。すなわち、本変形例においては、保持具２２の爪２２ｂは、液体貯留タンク１内に設けられた目盛１′よりも下に設けられている。つまり、爪２２ｂは、液体貯留タンク１１内において液体に水没するように配置されている。  
このようにすれば、蓋２を施蓋し爪２２ｂにより密閉容器２９が破壊されると同時に、液体が密閉容器２９の内部に侵入し、発泡剤１０の溶解が開始される。つまり、施蓋とほぼ同時に発泡剤１０の溶解を開始させることができる。またさらに、例えば、発泡剤の一部が爪２２ｂにひっかかって、タンク１内に落下しないような場合でも、爪２２ｂが水没しているので、その位置で発泡剤１０を溶解させることができる。
【０１０２】
以下、本実施例において用いることができる密閉容器２９について説明する。
【０１０３】
図１８は、本実施例における密閉容器の具体例を表す模式断面図である。  
すなわち、密閉容器２９は、容器本体２９Ａと、その上部開口を塞ぐ蓋部２９Ｂと、を有する。容器本体２９Ａは、要求される物理的な強度を満たし、発泡剤１０との反応性も低い材料により形成することができる。そのような材料としては、例えば、プラスチックを挙げることができ、より具体的には、ポリエチレン、ポリプロピレン、ＰＶＣ、ＰＥＴ、アクリル、ポリスチレン、紙をはじめとする各種の材料を用いることができる。また、容器本体２９Ａが透明であると、内部状態の確認が容易な点で便利である。また、後に図２２に関して詳述するように、容器本体２９Ａを変形させて内部の発泡剤を放出させるような場合には、容器本体２９Ａを変形が容易な材料により形成すればよい。
【０１０４】
一方、蓋部２９Ｂは、使用時に爪２２ｂにより破壊されるようなシール材により形成する。その材料としては、例えば、アルミラミネート、ナイロンフィルム、ポリエチレンフィルム、ポリエステルフィルムなどを挙げることができる。  
また一方、蓋部２９Ｂの少なくとも一部を水溶性の材料により形成してもよい。このようにすれば、爪２２ｂにより破壊しなくても、タンク１を施蓋後に吐水装置を逆さにしたり振ったりして水に濡らすことによって、蓋部２９Ｂが溶解し、内部の発泡剤を水に溶解させることができる。このような水溶性の材料としては、例えば、オブラートのような可食性材料を挙げることができる。また、蓋部２９Ｂを水溶性の材料により形成すると、吐水装置の使用後に蓋部２９Ｂの残渣が液体貯留タンク１の中に残留するのを防ぐことができる。つまり、蓋部２９Ｂの一部が液体貯留タンク１の中に残留すると、通水路３の中に侵入して「詰まり」の原因になったりするおそれがある。これに対して、蓋部２９Ｂを液体に溶解させれば、このような問題を解消できる。
【０１０５】
この場合、蓋部２９Ｂを、酸に対して溶解しやすい材料により形成してもよい。つまり、液体貯留タンク１の中で発泡剤１０を溶解させて得られる炭酸水などの液体に対して、蓋部２９Ｂが溶解しやすいようにしておけば、蓋部２９Ｂの残渣がタンク１内に残留することを効果的に防ぐことができる。しかもこの場合、蓋部２９Ｂの材料として、水に対しては溶解しにくいものを選択すれば、密閉容器２９の耐湿性も確保できる。  
また、本実施例によれば、密閉容器２９が発泡剤収納容器を形成しているので、濡れた手でも発泡剤収納容器を取り扱えるという利点があり、また発泡剤収納容器を多湿環境下でも保管できるという利点がある。
【０１０６】
一方、密閉容器２９の中に収納する発泡剤１０は、第１実施例に関して前述したような発泡成分やその他の配合成分を含む。また、その形態としては、紛状、顆粒もしくは粒状、塊状、あるいは液体状などのいずれでもよい。発泡剤の形態を粉状や顆粒状あるいは液体状とすれば、単一の錠剤とした場合よりも溶解性が高く、直ちにガスを発生して使用を開始できる利点がある。さらに、錠剤状にする場合には、成形のために、のり剤や剥離剤などの添加剤が必要であるのに対して、粉状や液体状の場合には、このような添加剤が不要である点でも有利である。
【０１０７】
一方、発泡剤を顆粒状あるいは粒状とした場合には、粒径をある程度揃えることにより、発泡成分である酸の粒とアルカリの粒との混合比率を所定値に維持しやすいという利点がある。さらに、粉状の場合と比較して、吸湿性が低くなるため、密閉後の安定性が高く、長期の保存にも耐えうるという利点もある。
【０１０８】
また、密閉容器２９の中に、空気層３００を設けることにより、吐水装置の液体貯留タンク１の中を液体で満水状態にしたような場合でも、タンク内に空気層を確保できる点で有利である。すなわち、密閉容器２９内に空気層３００を設けることにより、タンク１の内部圧力が必要以上に上昇することを防ぐことができる。
【０１０９】
図１９は、密閉容器の容器本体２９Ａのもう一つの具体例を表す模式図である。すなわち、同図（ａ）はその縦断面図、同図（ｂ）は（ａ）の矢印Ａの方向から眺めた底面図である。  
本具体例の容器本体２９Ａは、フランジ部２９Ａｆの下方に、径の大きい収容部２９Ａｂと、径の小さい収容部２９Ａａと、を有する。このように、径の小さい収容部を設けることにより、吐水時の液体の通路を確保できる。
【０１１０】
図２０は、本具体例の容器本体２９Ａの使用状態を表す模式図である。  
密閉容器２９を保持具２２に挿入し、蓋部２９Ｂを破壊して発泡剤を液体に溶解させた後に、発泡水を吐水させる。この時、液体貯留タンク１の中の液体は、保持具２２の小穴２２ａを介して蓋２の通水路３に流出する。そして、密閉容器２９に径の小さい収容部２９Ａａを設けることにより、保持具２２との間の隙間を拡げることができる。その結果として、図２０に矢印Ｗで表したように、小穴２２ａを通り抜けた液体の流路を確保することができる。つまり、液体貯留タンク１の中の液体を円滑に通水路３に流出させることができる。
【０１１１】
また、炭酸水のように気体を加圧溶解させた液体の場合、流れる通路のコンダクタンスにボトルネックがあると、圧力の変動によって溶解している気体が発泡してしまう場合がある。これに対して、本具体例のように流路を確保することにより、液体貯留タンク１の中での発泡を防止することができる。
【０１１２】
図２１は、密閉容器の容器本体２９Ａの変型例を表す模式図である。すなわち、同図（ａ）はその縦断面図、同図（ｂ）は（ａ）の矢印Ａの方向から眺めた底面図である。  
本変型例の容器本体２９Ａも、フランジ部２９Ａｆの下方に、径の大きい収容部２９Ａｂと、径の小さい収容部２９Ａａと、を有する。但し、径の小さい収容部２９Ａａは、その全周に渡って径が絞られている訳ではなく、およそ半周程度に渡ってのみ、径が絞られている。このようにした場合、径が絞られた部分においては、図２０に関して前述したように液体の流路を確保できると同時に、径の絞られていない部分において発泡剤の収容量を増加できる。  
なお、図１９乃至図２１は、一例に過ぎず、径の小さい収容部２９Ａａの形状や配置については、各種の設計変更が可能である。
【０１１３】
図２２は、密閉容器２９の他の具体例を表す模式図である。  
本具体例の場合、密閉容器の容器本体２９Ａを変形させることにより、収容されている発泡剤１０を放出させる。従って、保持具２２に爪（例えば、図２２における爪２２ｂ）を設ける必要はない。  
具体的には、例えば、図２２（ａ）に表したように、保持具２２に密閉容器２９を挿入し、蓋２により施蓋する際に、その突起２ａにより矢印Ａの方向に密閉容器２９を押圧する。すると、同図（ｂ）に表したように、容器本体２９Ａが変形し潰れて、その内部圧力により、蓋部２９Ｂが破壊または剥離する。そして、収容されていた発泡剤１０を放出させることができる。
【０１１４】
以上、本実施例において用いることができる密閉容器２９の具体例について説明した。
【０１１５】
次に、本実施例において用いる保持具２２について説明する。  
図２３は、保持具の一例を表す模式図である。すなわち、同図（ａ）は保持具２２の縦断面図、同図（ｂ）は、上方から見た平面図である。  
保持具２２は、液体貯留タンク１の口１ａに係合するフランジ部２２ｆの下方に複数の小穴２２ａが設けられ、底部に爪２２ｂが設けられている。爪２２ｂは、密閉容器２９の蓋部２９Ｂを破壊する役割を有する。しかし、蓋部２９Ｂを破壊した後に、容器２９の外部からの液体の流入や、容器２９の内部からの発泡剤の流出を円滑に生じさせるための通路を確保する必要がある。また、破壊された蓋部２９Ｂの一部が分離してタンク１内に浮遊すると、通水路３の「詰まり」などが生ずるおそれがある。
【０１１６】
これに対して、図２３に例示した爪２２ｂは、上方に向けて突出し、且つ略十字状の平面形状を有する。このような形態の爪２２ｂを用いることにより、蓋部２９Ｂを容易に破壊でき、破壊後の液体や発泡剤の通路も確保でき、また破壊後の蓋部２９Ｂの一部が分離することも防ぐことができる。
【０１１７】
図２４は、保持具の爪２２ｂの他の具体例を表す模式図である。すなわち、同図（ａ）はその縦断面図、同図（ｂ）は、爪２２ｂのＡ−Ａ線断面図である。  
本具体例の場合、保持具２２の底部に貫通穴ＯＰが設けられ、爪２２ｂは貫通穴ＯＰを取り囲むように筒状に突出して設けられている。このようにすれば、密閉容器２９の蓋部２９Ｂを確実に破壊し、且つ、破壊後には、貫通穴ＯＰを介して液体の流入及び発泡剤の流出の通路を確保できる。つまり、図２４（ａ）に例示したように、爪２２ｂにより切断された蓋部２９Ｂは、爪２２ｂにより押されて容器本体２９Ａの内側に倒れ込む、そして、発泡剤と液体とが接触する通路が形成される。なおここで、「筒状」とは、図示したような横断面が円形である円筒状のものに限定されず、その他にも、例えば横断面が三角形や四角形や六角形などの多角形状の筒状ものや、楕円その他各種の不定形の形状からなる筒状も含むものとする。
【０１１８】
またここで、図２４（ｃ）は、爪２２ｂのもうひとつの具体例を表し、同図（ａ）のＡ−Ａ線断面図に相当する。本具体例の場合も、爪２２ｂは、保持具２２の底部に設けられた貫通穴ＯＰを取り囲むように筒状に設けられている。そしてさらに、爪２２ｂは、切り欠きＣを有する。つまり、爪２２ｂは、貫通穴ＯＰを取り囲むように、「略Ｃ字状」に突出している。このようにすれば、蓋部２９Ｂを破壊する際に、蓋部２９Ｂは円形に切り取られて分離することがなく、図２５に例示したように、蓋部２９Ｂの一部が爪２２ｂの切り欠きＣに対応した部分で容器本体２９Ａにつながった状態とすることができる。従って、蓋部２９Ｂの一部が分離して通水路３を塞ぐなどの問題を解消できる。
【０１１９】
図２６は、爪２２ｂの他の具体例を説明するための模式図である。すなわち、同図（ａ）はその縦断面図、同図（ｂ）は、爪２２ｂのＡ−Ａ線断面図である。  本具体例においても、保持具２２の底部には貫通穴ＯＰが設けられ、爪２２ｂは、貫通穴ＯＰを取り囲むように筒状に形成されている。そして、爪２２ｂの上端は、保持具２２の底部に対して斜めに切断された先端部を有する。このようにすれば、爪２２ｂの最先端から密閉容器２９の蓋部２９Ｂが順次破壊されるので、容易且つ確実に破壊することができ、また、図２６（ａ）に例示した如く、破壊後の蓋部２９Ｂも、容器本体２９Ａから分離しにくくなる。また、貫通穴ＯＰを介して液体の流入及び発泡剤の流出の通路を確保できる。  
この場合、爪２２ｂの先端面は、図２７（ａ）に例示した如く、斜め平面状でもよく、または、同図（ｂ）に例示した如く上に凸の曲面でもよく、または、同図（ｃ）に例示した如く下に凸の曲面でもよい。
【０１２０】
図２８は、本実施例の変型例の吐水装置を表す一部透視断面図である。  
本変型例においては、図２７（ａ）あるいは（ｂ）に表した爪２２ｂを有する保持具２２が設けられている。この保持具２２には、図１８に表したように容器本体２９Ａと蓋部２９Ｂとを有する密閉容器２９が収容される。なお、図２８においては、容器本体２９Ａと蓋部２９Ｂを透視して爪２２ｂを表した。
【０１２１】
この吐水装置の蓋２には、押圧部２ｂが設けれている。押圧部２ｂは、発泡剤が収容された密閉容器の容器本体２９Ａの底部（蓋部２９Ｂとは反対側）に当接し、これを液体貯留タンク１の方向に押圧する役割を有する。
【０１２２】
図２９は、本変型例において密閉容器２９が吐水装置に装填される様子を表す模式図である。なお、図２９においても、容器本体２９Ａと蓋部２９Ｂを透視して爪２２ｂを表した。
【０１２３】
図２９（ａ）は、密閉容器２９が挿入される前の状態を表す。すなわち、吐水装置の蓋２が開放され、液体貯留タンク１（ａ）の中に保持具２２が装着されている。  
次に、図２９（ｂ）に表したように、密閉容器２９を保持具２２の中に挿入する。この時、蓋部２９Ｂが下になるように挿入する。この状態において、密閉容器２９は、液体貯留タンク１の口１ａから突出している。  
次に、吐水装置を施蓋する。すなわち、液体貯留タンク１の口１ａに蓋２を装着する。すると、蓋２の押圧部２ｂが密閉容器２９に当接してこれを下方に押し込む。すると、密閉容器２９の下端の蓋部２９Ｂが爪２２により破壊され、容器内部に収容されている発泡剤を液体に溶解させることができる。この時の状態は、図２６に関して前述した如くである。
【０１２４】
このように、蓋２の施蓋動作によって密閉容器の蓋部２９Ｂを確実に破壊するためには、押圧部２ｂの位置と、蓋２の施蓋動作のストロークと、を適宜調整すればよい。  
また、本変型例においては、施蓋動作によって密閉容器２９が保持部２２の底部付近にまで押し込まれた状態においても、図２９（ｃ）に表したように、密閉容器２９の上端が液体貯留タンク１の口１ａから突出している。このようにすれば、例えば、使用後に使用者が吐水装置を再び開蓋し、使用済みの密閉容器２９を手でつまんで容易に取り外すことができる。また、例えば、使用後に吐水装置を放置して発泡剤の残りによって密閉容器２９が保持具２２に固着したような場合でも、使用者は、液体貯留タンクの口１ａから突出した密閉容器２９の上端を手などでつまんで容易に取り外すことができる。
【０１２５】
図３０は、本変型例の吐水装置が施蓋された状態を表す一部拡大断面図である。  
押圧部２ｂが密閉容器の容器本体２９を下方に押し込んだ状態とされている。一方、蓋２の操作スイッチ７は、スプリング７Ｓにより上方に付勢され、開閉弁４は閉状態に維持されている。  
図３１は、操作スイッチ７が操作された状態を表す一部拡大断面図である。  
すなわち、使用者がスプリング７Ｓの付勢力に対抗して操作スイッチ７を下方に押圧すると、開閉弁４が連動して下方に移動し、タンク１と通水路３とが連通する。この時、開閉弁４と密閉容器２９とが干渉しないように、開閉弁４のストロークと、押圧部２ｂの位置と、が調整されている。
【０１２６】
開閉弁４を開けると、加圧された吐水が通水路３に向けて流出する。この時、密閉容器２９もこの流れに押されて上方すなわち、開閉弁４の方向に移動する場合がある。このような場合でも、押圧部２ｂを開閉弁４のストロークの下端よりも下方に突出させることにより、開閉弁４と密閉容器２９Ａとの干渉を防止できる。その結果として、密閉容器２９が吐水時の圧力で動いても、開閉弁４の動作が阻害されることがない。
【０１２７】
図３２は、図３１のＡ−Ａ線断面図である。  
同図に表したように、押圧部２ｂは密閉容器２９の周囲全体に亘って当接せず、適宜、通水部２ｃが設けられている。開閉弁４を開いた状態において、液体貯留タンク１の水は、矢印Ｗで表したように、密閉容器２９と保持部２２との隙間、パッキン２４の隙間、通水部２ｃ、開閉バルブ４を順次経由して通水路３に流出する。このように通水部２ｃを設けることにより、吐水流のコンダクタンスを確保できる。
【０１２８】
また、本変型例の吐水装置は、旋回吐水を放出可能な吐水ノズル６を有する。すなわち、開閉弁４により開閉される通水路３は、減圧装置５を介して旋回室６ｂに連通している。旋回室６ｂは略円筒に形成され、水はその周側壁の略接線方向に導入される。すると、旋回室６ｂにおいて、旋回軸Ｚを中心とした旋回流が形成される。一方、旋回室６ｂには、旋回軸Ｚの回りに「みそすり状」の運動が可能な旋回ノズルが設けられている。旋回ノズルは、旋回室６ｂの中に設けられた受力部６ｃと、受力部６ｃから先端に連通した吐水口６ａと、を有する。旋回室６ｂにおいて水の旋回流が形成されると、受力部６ｃはその旋回流によって旋回軸Ｚの回りに公転運動（自転運動を伴う場合もある）を開始する。すると、吐水口６ａに連通する水路が旋回軸Ｚに対して「みそすり状」に回転し、吐水口６ａから旋回吐水が放出される。
【０１２９】
このように、旋回室６ｂにおいて旋回流を形成することにより、遠心分離効果による「気液分離作用」が得られる。その結果として、気泡の含有比率（気泡の生成）の増加や合致（成長）を促進させることができる。さらにまた、この旋回流を利用して受力部に公転及び自転の少なくともいずれかの運動をさせることにより、外部からの付加的な動力を与えることなく「吐水揺動作用」が得られる。つまり、吐水を揺動させることにより、振動などによる刺激感を増加させ、マッサージ効果や炭酸水が有する各種の生体効果を増進させることが可能となる。さらに、受力部が公転もしくは自転することにより流入室内の液体に対する撹拌効果が生じ、「気液分離作用」を促進させることもでき、さらに気泡量の増加を促進させることができる。
【０１３０】
次に、本発明の第１１実施例に係る吐水装置について説明する。  
図３３は、本発明の第１１の実施例の吐水装置の断面を表す模式図である。  
本実施例の吐水装置Ｋも、第１０実施例の吐水装置Ｊと同様に、発泡剤１０を収容した密閉容器２９を用いる。但し、本実施例の吐水装置Ｋは、上向きに保持した状態で吐水が可能な構造を有する。  
すなわち、本実施例の吐水装置Ｋにおいては、液体貯留タンク１の内部に設けられた保持具２２は、タンク１内の底部近傍にまで延在する給水筒２２ｄを有する。また、保持具２２の周壁には小穴（例えば、図１６における小穴２２ａ）は設けられていない。  
密閉容器２９は、保持具２２の中に挿入され、蓋２の施蓋の際に押圧されて爪２２ｂにより破壊され、収容されていた発泡剤が放出され、タンク１内の液体に溶解する。その後、図３３に表したように、蓋２を上方に向けた状態のまま、タンク１内の加圧された液体を矢印Ｗで表したように、給水筒２２ｄを介して蓋２の通水路３に流出させることができる。この際に、密閉容器２９の側面に、スペーサ２９Ｓを適宜設けることにより、密閉容器２９と、その周囲の保持具２２の内壁との間に、流出する液体の通路を確保することができる。
本実施例によれば、いわゆる「上向き吐水」が可能であるため、例えば、人体の頭部や顔あるいは上半身や手などに発泡水を噴出塗布する場合などに用いて便利である。またさらに、液体貯留タンク１において、発泡剤の投入口と液体の吐水口とを共通化させているので、タンク１の構造が簡潔であり、製造コストも低いという利点を有する。本実施例の液体貯留タンク１や保持具２２あるいは密閉容器の容器本体などは、例えば、ポリエチレン・テレフタレート（ＰＥＴ）などの材料を用いて延伸ブロー成形などの手法により形成することができる。
【０１３１】
図３４は、本実施例の変型例にかかる吐水装置を表す模式図である。すなわち、本変型例においては、密閉容器２９は、その蓋部２９Ｂを上向きにした状態で、保持具２２の保持台２２Ｓの上に保持される。そして、蓋２に爪２ｂが設けられ、矢印Ａの方向に施蓋する際に、爪２ｂが蓋部２９Ｂを破壊し、収納されている発泡剤を溶解可能にする。  
蓋２の爪２ｂを、例えば図２３に例示した如く、略十字型のものとしたり、あるいは、図２４乃至図２７に例示した如く、貫通穴とともに設けたりすることにより、発泡剤と液体との混合を円滑に実現することができる。
【０１３２】
次に、本発明の第１２実施例に係る吐水装置について説明する。  
図３５は、本発明の第１２の実施例の吐水装置の断面を表す模式図である。  
本実施例の吐水装置Ｌも、第１０及び第１１実施例の吐水装置Ｊ、Ｋと同様に、発泡剤１０を収容した密閉容器２９を用いる。但し、本実施例の吐水装置Ｌは、上下いずれの向きにおいても吐水が可能な構造を有する。  
すなわち、液体貯留タンク１の底部（図３５において下方）に保持具２２が設置されている。使用者はまず、この吐水装置Ｌを上下逆さまに持ち、底部の蓋２０を開ける。そして、液体貯留タンク１に水などの所定の液体を所定量充填した後、保持具２２の中に密閉容器２９を挿入する。その後、蓋２０を閉めると、突起２０ａにより密閉容器２９が押圧され、保持具の爪２２ｂにより破壊されて収容されていた発泡剤１０が放出されて液体に溶解する。  
しかる後に、使用者は、吐水装置Ｌを上下任意の方向に向けて発泡水を吐水させ使用することができる。
【０１３３】
本実施例の吐水装置Ｌは、図１２に関して前述したものと同様に、通水路３の一部は液体貯留タンク１内で延在し、この延在部分は柔軟なチューブ４０を有している。チューブ４０の先端の近傍には、多孔質セラミック、高比重樹脂焼結体等の多孔質体、樹脂焼結体と重量物の結合体、目の細かな金網等で構成された錘４２が取り付けられている。チューブ４０の他端は蓋２に固定され、通水路３の蓋２内で延在する部分に連通している。  
このようにすれば、図３３に表したように吐水ノズル６を上にして吐水装置Ｌを使用しても、或いは吐水ノズル６を下にして吐水装置Ｌを使用しても、或いは吐水ノズル６を横にして吐水装置Ｋを使用しても、錘４２が取り付けられたチューブ４０の一端は錘４２に引かれて確実に没水し、吐水ノズル６から確実に気泡流が吐出する。
【０１３４】
なお、本実施例においては、通常の使用に際しては、液体貯留タンク１の底部の蓋２０の開閉により液体の充填や密閉容器２９の脱着が可能である。従って、上方の蓋２は、液体貯留タンク１に対して脱着可能とする必要はなく、タンク１と蓋２と一体化させて形成してもよい。  
また、図３５に表した吐水装置Ｌは一例に過ぎず、例えば、保持具２２や密閉容器２９については、第１０実施例に関して前述した各種の具体例や変型例を同様に採用して同様の作用効果を得ることができる。
【０１３５】
図３６は、本実施例の変型例にかかる吐水装置を表す模式図である。すなわち、本変型例においては、蓋２０に爪２０ｂが設けられている。図３５に関して前述したものと同様に、使用者は、使用に先立ってまず、この吐水装置を上下逆さまに持ち、蓋２０を開けて、所定の液体を充填する。しかる後に、保持具２２に、密閉容器２９を挿入する。この際に、密閉容器の蓋部を蓋２０に向けた状態に保持具２２に挿入する。そして、蓋２０により施蓋すると、爪２０ｂにより密閉容器２９の蓋部が破壊され、発泡剤と液体とが混合可能な状態とされる。この後、吐水装置を適宜振るなどして発泡剤を液体に溶解させ、タンク１内が加圧されたら、吐水を開始できる。
【０１３６】
次に、本発明の第１３実施例に係る吐水装置について説明する。  
図３７は、本発明の第１３の実施例の吐水装置の断面を表す模式図である。  
本実施例の吐水装置Ｍにおいては、上方が開放された縦長有底筒状の発泡剤収納容器３９を用いる。そして、図３７（ａ）に表したように、液体貯留タンク１に所定の液体を充填した後、粒状、粉状あるいは液体状の発泡剤１０を収納した発泡剤収納容器３９を液体貯留タンク１へ挿入して液体に浮かばせる。その後、施蓋し、図３７（ｂ）に表したように、吐水装置Ｍを逆さまにし或いは傾けて、発泡剤１０を液体に投入する。両者の反応が直ちに開始され、密閉空間が直ちに加圧される。  
図３７（ａ）に表したように、液体貯留タンク１への挿入浮遊時に、発泡剤収納容器３９の開放端が液体貯留タンク１の口１ａに当接するようにすれば、略直立して浮遊させることも可能である。本実施例の場合、発泡剤収納容器３９は、口１ａに装着するためのフランジ部を有さないので、突起部が無く持ち運びに便利である。
【０１３７】
図３８は、本実施例の変型例を表す模式図である。  
すなわち、本変型例の吐水装置Ｍ′においては、同図（ａ）に表したように、発泡剤収納容器３９の開放端が液体貯留タンク１内において、その規定水位１′よりも高くなるように形成されている。そして、発泡剤収納容器３９は、タンク１の中において、充填された液体に浮かばず、タンク１の底に当接して配置される。  
使用時には、図３８（ｂ）に表したように、吐水装置Ｍ′を上下逆さまにし、発泡剤収納容器３９の中の発泡剤をタンク１内の液体に溶解させることにより、加圧発泡水を吐水させることができる。この時、例えば、図３８（ｂ）に例示した如く、通水路３の取水口を蓋２の周壁あるいは端部などに設けることにより、発泡剤収納容器３９との干渉を避けることができる。つまり、収納容器３９により、通水路３の取水口が塞がれるという問題を回避できる。
【０１３８】
また、本変形例において、図３９（ａ）に例示した如く、発泡剤収納容器３９の上部開放端を斜めにカットすると、図３９（ｂ）に表したように、吐水装置Ｍ′を上下逆さまにした時に、発泡剤１０の溶解経路や、通水路３への流出経路を確保することが容易となる。
【０１３９】
または、本変型例において、図４０（ａ）に例示した如く、発泡剤収納容器３９の上部側壁に開口３９ａを設ければ、やはり図４０（ｂ）に表したように、吐水装置Ｍ′を上下逆さまにした時に、発泡剤１０の溶解経路や、通水路３への流出経路を確保することが容易となる。
【０１４０】
図３８乃至図４０に表した変型例は、大量の発泡剤を投入する場合などに有利である。
【０１４１】
次に、本発明の第１４実施例に係る吐水装置について説明する。  
図４１は、本発明の第１４実施例の吐水装置の断面を表す模式図である。  
本実施例の吐水装置Ｎの場合、液体貯留タンク１内の口１ａ近傍部に、有底筒状の発泡剤収納容器保持部１ｂが一体形成あるいは後付け等により配設されている。使用者は、液体貯留タンク１に水を入れた後、粒状、粉状、あるいは液体の発泡剤１０を収納した棒状袋状の発泡剤収納容器４９の端部を破き、当該端部を上方へ差し向けた発泡剤収納容器４９を発泡剤収納容器保持部１ｂに保持させる。その後、施蓋して密閉空間を形成し、図４１（ｂ）に表したように、液体貯留タンクを逆さまにし、若しくは傾ければ、発泡剤１０が袋４９からこぼれ出し、液体に接触して両者の反応が直ちに開始される。  
また、本実施例において、発泡剤収納容器４９を用いる代わりに、粒状、粉状、顆粒状、塊状、あるいは錠剤状の発泡剤を保持部１ｂに直接、保持してもよい。
【０１４２】
次に、本発明の第１５の実施例について説明する。  
図４２は、本発明の第１５の実施例にかかる吐水装置の断面を表す模式図である。すなわち、この吐水装置Ｐは、本発明の第１２実施例として図３５に表した吐水装置Ｌと類似した構造を有する。そして、本実施例においては、減圧装置５の下流に泡生成手段３０が設けられている。泡生成手段３０は、気泡流における気泡の含有比率を増加させ、多数の大きな気泡からなる泡状に生成する役割を有する。すなわち、後に詳述するように、泡生成手段３０は、減圧装置５から吐出された発泡水の流速を減速させあるいは撹拌することにより、さらに大きな気泡の生成を促す作用を奏する。通水路３を通る発泡水は、まず減圧装置５を通過する際に、圧力低下により液体中に多数の微細な気泡が分散混入された状態となる。しかる後に、泡生成手段３０において撹拌あるいは減速され、液体中からの気泡の生成がさらに促進されるとともに、これら気泡の合体が促進される。その結果として、発泡水は、多数の大きな気泡からなる泡状に吐出される。またここで、発泡水に界面活性剤などを適宜配合すると、泡の生成が容易となり、さらにクリーム状の泡も形成可能となる。
【０１４３】
図４３は、泡生成手段３０の作用を説明するための概念図である。  
同図（ａ）に表したように、吐出装置Ｐから吐出されたクリーム状または泡状の発泡水１００は、その一部を拡大すると、同図（ｂ）に表したように、多数を大きな気泡１１０を有する。この気泡１１０は、発泡水が含有する気体成分、例えば炭酸ガス（ＣＯ２）である。そして、気泡１１０の周囲は、発泡水の被膜１２０に覆われている。発泡水に界面活性剤を配合しておくと、このような気泡１１０の生成をさらに助長することができる。
【０１４４】
図４３（ｃ）は、このようなクリーム状または泡状の発泡水１００を人体２００に塗布した状態を表す。発泡水をクリーム状または泡状とすることにより、人体２００に長時間、塗布することができる。つまり、発泡水が液体状であると、人体２００の表面で容易に流れてしまうため、接触時間が短くなる場合がある。これに対して、クリーム状または泡状とすれば、流れることはなく、長時間に亘って人体２００に接触させることができる。
【０１４５】
そして、発泡水１２０が含有する炭酸ガスなどの気体成分は、発泡水の皮膜１２０に配合されたその他の各種有効成分とともに、矢印Ｂの如く人体２００に浸透し、所望の作用効果を奏する。本実施例によれば、気泡１１０を構成する炭酸ガスなどの気体成分が、矢印Ａにより例示した如く、その周囲を覆う発泡水の皮膜１２０に供給される。その結果として、発泡水の皮膜１２０の気体含有量を高く保ち、矢印Ｂで例示した浸透効果を長時間に亘り持続させることができる。このように、長時間に亘って高濃度の発泡水の皮膜１２０に人体２００を接触させると、皮膚の角質層が軟化し、矢印Ｂにより例示した有効成分の浸透効果がさらに高まる。
【０１４６】
本実施例において、泡生成手段３０による泡の生成効果を高めるためには、液体または発泡剤の少なくともいずれかに、界面活性剤を配合するとよい。これら界面活性剤の具体例は、第１実施例に関して前述した通りである。ラウリル硫酸塩などの食品添加用の界面活性剤を用いれば、人体に対して安全であり、泡の生成効果を効果的に高めることができる。
【０１４７】
次に、本実施例における泡生成手段３０の具体例について説明する。  
図４４（ａ）は、泡生成手段３０の第１の具体例の上面図であり、同図（ｂ）は、そのａ−ａ線側面断面図である。  
図４４に表した示すように、泡生成手段３０は、通水路３から発泡水を流入させる流入口５０と、通水路３よりも流路断面積の広い流入室５１と、流入室５１から再び通水路３に発泡水を吐出する吐出口５２からなる。そして、流入室５１内に、吐出口５２と流入口５０とが直接対向しないように遮蔽板６０が設けられている。
【０１４８】
図４２に表した吐水装置Ｐの減圧装置５の減圧効果により発生した気泡は、発泡水の中に分散して混合しており、この発泡水は通水路３を通って流入室５１内に侵入すると流速が減速され、同時に遮蔽板６０に衝突することにより、流入室５１内は攪拌された状態となる。このことより流入室５１内で微細な気泡が合致して、より大きな気泡が形成される。よって吐出口５２から吐水される発泡水は、図４３に例示した如く皮膜層と気体層とが交互に分離した状態となる。通水路３に比べて流入室５１の流路径を大きくすることにより、発泡水の流速をより低下させ、気泡の生成を促すことができる。また、発泡水に界面活性剤などを添加することより、クリーム状または泡状の発泡水を確実且つ容易に形成することができる。  
なお、本具体例の泡生成手段の場合、遮蔽板６０が設けられているので、流入口５０と吐出口５２とは、同軸上にあっても、偏心した位置関係にあっても気泡の生成の促進が容易となる。
【０１４９】
図４５（ａ）は、泡生成手段３０の第２の具体例の上面図であり、同図（ｂ）は、そのａ−ａ線側面断面図である。  
本具体例においては、吐出口５２と流入口５０とが直接対向しないように、吐出口５２は、流入口５０に対して偏心して流入室５１に連通している。また、発泡水の吐水時に、吐出口５２が流入口５０よりも上方になるように偏心して、流入室５１に連通させている。
【０１５０】
本具体例においては、流入口５０から流入室５１内に流入した発泡水は、減速され、また、吐出口５２が流入口５０と同軸上にないため、流入室５１の周壁に衝突した後に吐出口５２から吐出される。よって流入室５１内の流れに「乱れ」が発生し、流入室５１内はより攪拌された状態となる。その結果、流入室５１内で微細気泡が合致してより大きな気泡が形成される。このため、吐出口５２から吐水される発泡水は、図４３に例示したように、気体層と液体層とが交互に分離してクリーム状または泡状の形態になる。
【０１５１】
また、吐出口５２が流入口５０よりも上方になるように偏心して流入室５１に連通されているため、浮力の大きい気泡は流入室５１の上部に集中して吐出口５２から吐出されやすくなるという効果も得られる。
【０１５２】
図４６（ａ）は、泡生成手段３０の第３の具体例の上面図であり、同図（ｂ）は、そのａ−ａ線側面断面図である。  
本具体例においては、流入室５１の上部は円錐状周壁、下部は略円筒状周壁を有する。そして、流入室５１に流入した発泡水が流入室５１内で旋回流を発生するように、流入口５０は流入室５１の下部周壁において周壁円周方向に向けて設けられている。一方、流入室５１の上部の中心付近に吐出口５２が設けられている。
【０１５３】
流入室５１内で旋回流が発生するように流入口５０が偏心して設けられているため、流入室５１内には円心力が働き、密度の大きい液体は流入室５１の周壁へ移動し、密度の軽い気体は流入室５１の中心へ移動する。このことにより、微細な気泡は流入室５１の中心で合体し、大きな気泡の形成が促進される。  
そして、吐出口５２は生成された気泡が集まる流入室５１の中心に設けられているため、気泡が流入室５１に滞留することがなく、分離されてクリーム状または泡状の状態が形成され、その発泡水の搬送がスムーズに行われる。
【０１５４】
図４７（ａ）は、泡生成手段３０の第４の具体例の上面図であり、同図（ｂ）は、そのａ−ａ線側面断面図である。  
本具体例においては、流入室５１の中に、この空間を仕切るように、フィルタ７０が設けられている。フィルタ７０は、例えば、メッシュ状あるいは多孔質状の如く多数の微細貫通孔を有する。フィルタ７０の材料は、金属でも有機材料でも無機材料でもよい。また、例えば、複数のメッシュを適宜重ね合わせたものでもよい。
【０１５５】
このようなフィルタ７０により流入室５１を仕切ると、フィルタ７０から排出された発泡水は、フィルタ７０の全面に渡ってゆっくりと滲み出る。この時に、気泡の形成と合体が促進され、図４３に例示したようなクリーム状または泡状の発泡水が得られる。なお、本具体例においては、フィルタ７０の下流側の通水路３の流路径は、図示の如く絞る必要はなく、吐出装置Ｐの吐出端の開口と略同一のサイズであってもよい。
【０１５６】
なお、減圧装置５として多孔質体やメッシュなどを用いる場合には、これをフィルタ７０と兼用することが可能である。すなわち、これら多孔質体やメッシュの開口率や厚み、あるいは開口の平均経路長などを適宜選択すれば、その多孔質体を減圧装置５としても泡生成手段３０としても用いることが可能である。
【０１５７】
次に、本発明の第１６の実施例として、頭髪や頭皮などに発泡水を適用するために用いて特に好適な吐水装置について説明する。  
図４８は、本実施例の吐水装置の吐水ヘッドを例示する斜視図である。吐水装置の本体としては、第１乃至第１５実施例に関して前述したいずれのものを用いることも可能である。  
すなわち、前述した吐水装置Ａ〜Ｐの吐水ノズルの先端に、図４８（ａ）及び（ｂ）に例示したような吐水ヘッド８０を設けることができる。吐水ヘッド８０の先端部には吐水口８０ｄが設けられ、さらにその近傍に、円錐状、ブラシ状その他任意の形態の複数の可撓性突起体８０ｅが設けられている。  
また、吐水口８０ｄを可撓性突起体８０ｅの先端に配設しても良い。本発明の吐水装置を用いて頭部に発泡水を吐出させる場合、可撓性突起体８０ｅにより頭皮が刺激され頭皮の血行が促進される。吐水口８０ｄを可撓性突起体８０ｅの先端に配設すると、吐水口８０ｄが頭皮に接近するので、気泡流による刺激が増加し、発泡水による血行促進やマッサージ効果が高まると同時に、使用者の快適感が増加する。
【０１５８】
ここで、発泡成分の他に、いわゆるヘアケア用として、発泡剤あるいは液体の少なくともいずれかに添加することができる成分の一例を以下に列挙する。
【０１５９】
殺菌、防腐剤：安息香酸およびその塩類、イソプロピルメチルフエノール、ウンデシレン酸およびその塩類、ウンデシレン酸モノエタノールアミド、塩化ベンザルコニウム、塩化ベンゼトニウム、塩化アルキルジアミノエチルグリシン、塩酸クロルヘキシジン、オルトフェニルフェノール、グルコン酸クロルヘキシジン、クレゾール、クロラミンT、クロルキシレノール、クロルクレゾール、クロルフェネシン、クロロブタノール、サリチル酸およびその塩類、臭化アルキルイソキノリニウム、臭化ドミフェン、ソルビン酸およびその塩類、チモール、チラム、デヒドロ酢酸およぴその塩類、トリクロサン、トリクロロカルバニリド、バラオキシ安息香酸エステル、バラクロルフェノール、ハロカルバン、フェノール．ヘキサクロロフェン、ラウロイルサルコシンナトリウム、レゾルシンなど。
【０１６０】
紫外線吸収剤：オキシベンゾン、サリチル酸フェニル、シノキサート、パラアミノ安息香酸エステル、2−（2−ヒドロキシー5−メチルフェニル）−ペンゾトリアゾールなど。
【０１６１】
ホルモン類：各種ホルモン。  
酸化防止剤：カテコール、ジブチルヒドロキシトルエン、ピロガロ−ル、ブチルヒドロキシアニソール、没食子酸プロピルなど。  
ビタミン類：酢酸−dl−α−トコフェロール、dl−α−トコフェロール、ニコチン酸ベンジルなど。  
抗ヒスタミン剤、消炎剤：塩酸ジフェンヒドラミン、グアイアズレン、グアイアズレンスルホン酸ナトリウムなど。  
毛根刺激剤：カンタリスチンキ、ショウキョウチンキ、トウガラシチンキ、ノニル酸バニリルアミドなど。
【０１６２】
収斂剤：イクタモール、パラフェノールスルホン酸亜鉛など。  
酵素類：塩化リゾチウムなど。  
多価アルコール類、保湿剤：プロピレングリコール、ポリエチレングリコールなど。  
金属イオン封鎖剤：エデト酸およびその塩類など。  
アニオン界面活性剤：セチル硫酸ナトリウム、直鎖型アルキルベンゼンスルホン酸ナトリウム、ポリオキシエチレン、ラウリルエーテル硫酸塩類、ラウリル硫酸塩類など。  
カチオン界面活性剤：塩化アルキルトリメチルアンモニウム、塩化ジステアリルジメチルベンジルアンモニウム、塩化ステアリルジメチルベンジルアンモニウム、塩化ステアリルトリメチルアンモニウム、塩化セチルトリメチルアンモニウム、塩化セチルピリジニウム、塩化ラウリルトリメチルアンニウム、臭化セチルトリメチルアンモニウムなど。
【０１６３】
アルカリ剤：ジイソプロパノールアミン、ジエタノールアミン、トリイソプロパノールアミン、トリエタノールアミンなど。  
ロウ、高分子化合物、ゴム質：セラミック、天然ゴムラテックス、トラガントロジンなど。  
油  分 oil components：酢酸ポリオキシエチレンラノリンアルコール、酢酸ラノリン、酢酸ラノリンアルコール、ステアリルアルコール、セタノール、セトステアリルアルコール、ベンジルアルコール、ポリオキシエチレンラノリン、ポリオキシエチレンラノリンアルコール、ミリスチン酸イソプロピル、ラノリン、液状ラノリン、還元ラノリン、硬質ラノリン、ラノリンアルコール．水素添加ラノリンアルコール、ラノリン脂肪酸イソプロピル、ラノリン脂肪酸ポリエチレングリコールなど。  
その他、赤色２号、黄色２０１号など各種の色素を配合してもよい。
【０１６４】
図４９は、本実施例の別の具体例の吐水装置の断面を表す模式図である。すなわち、この吐水装置Ｑは、液体貯留タンク１と、その口１ａに係合して液体貯留タンク１を密閉する蓋２と、を備えている。蓋２には、一端が液体貯留タンク１に連通し、他端が液体貯留タンク１外で開口する通水路３が形成されている。通水路３の経路には、減圧装置５と、流路を開閉する開閉弁４と、開閉弁４と連動する操作スイッチ７と、が設けられている。操作スイッチ７は、バネ７ｓによって矢印Ａとは反対方向に付勢されている。また、操作スイッチ７の上面には、複数の可撓性突起体７ａが設けられ、さらにその周囲に吐水口７ｂが開口されている。
【０１６５】
本具体例の吐水装置Ｑは、その吐水口７ｂを鉛直下方に向けて使用するのに適している。例えば、ヘアケア用の発泡水を頭髪または頭皮に適用する場合などに、使用者は、吐水装置Ｑを逆さに持ち、その操作スイッチ７を頭部に押しつける。すると、スイッチ７が矢印Ａの方向に押圧され、開閉弁４が開いて、吐水口から発泡水が噴出する。この際に、スイッチ７の上面に設けられた可撓性突起体７ａが頭皮を圧迫刺激し、血行促進効果やマッサージ効果などが得られる。
【０１６６】
図５０は、本実施例のさらに他の具体例を表す模式図である。すなわち、同図（ａ）に表した吐水装置は、液体貯留タンク８１と蓋８２とを有する。蓋８２には、操作スイッチ８５が設けられ、さらに、上方に延在したヘッド８８が設けられている。ヘッド８８には、ブラシ状に複数の可撓性突起体８８ｅが設けられている。これら可撓性突起体８８ｅの周辺には、吐水口８８ｄが設けられている。
【０１６７】
使用者は、可撓性突起体８８ｅを頭髪や頭皮に対してブラシの如く用いながら、操作スイッチ８５を押圧することにより、吐水口８８ｄから発泡水を噴出させることができる。この場合も、可撓性突起体８８ｅが頭皮を圧迫刺激し、血行促進効果やマッサージ効果などが得られる。  
また、図５０（ｂ）に表したように、吐水口８８ｄを可撓性突起体８８ｅの先端に設けると、吐水口が頭皮に接近するので、気泡流をより直接的に頭皮に適用させ、使用者の快適感が増加する。
【０１６８】
なお、本実施例において、図１２、図３５あるいは図４２に表した具体例のように、通水路３の一部を液体貯留タンク１内で延在する柔軟なチューブ４０とし、その先端の近傍に、多孔質セラミック、高比重樹脂焼結体等の多孔質体、樹脂焼結体と重量物の結合体、目の細かな金網等で構成された錘４２を設けてもよい。このようにすれば、吐水口が上向きの状態でも横向きの状態でも下向きの状態でも、気泡流を確実に吐出させることが可能となる。
【０１６９】
また、図５０に表した吐水装置において、図３３の吐水装置Ｋのような保持具２２を設ければ、上向き使用が容易となる。  
また、本実施例においても、第１５実施例に関して前述したような泡生成手段３０を設けてもよい。すなわち、本実施例の吐水装置に泡生成手段３０を適宜設けることにより、クリーム状または泡状の発泡水を頭髪や頭皮に適用し、炭酸ガスやその他の各種有効成分を長時間に亘って浸透させることが可能である。
【０１７０】
次に、本発明の第１７の実施例として、口腔内の使用に特に適した吐水装置について説明する。  
図５１は、本実施例の吐水装置を表す模式図である。すなわち、同図（ａ）はその全体図、同図（ｂ）は矢印Ａからみた一部拡大図である。  
本実施例の吐水装置も、液体貯留タンク９１と蓋９２とを備える。蓋９２には、操作スイッチ９５が設けられ、さらに、上方に延在したヘッド９８が設けられている。ヘッド９８の先端には、発泡水を吐出する吐水口９８ｄが設けられている。液体貯留タンク９１及び蓋９２の内部の具体的に構造としては、第１乃至第１５実施例に関して前述した各種のものを採用することができる。なお、同図に表した具体例においては複数の吐水口９８ｄが設けられているが、本発明はこれに限定されるものではなく、ヘッド９８の先端に単一の吐水口９８ｄを設けてもよい。
【０１７１】
使用者は、ヘッド９８の先端部を口腔内の所望の位置に配置し、操作スイッチ９５を押圧することにより、吐水口９８ｄから発泡水を噴出させることができる。発泡水が含有する炭酸ガス及びその他の有効成分により、歯茎や口腔内壁の血行促進、虫歯に対する静菌作用、歯垢の分解除去、歯槽膿漏や口臭の予防・除去などの効果が得られる。
【０１７２】
本実施例においては、発泡成分の他に、液体貯留タンク９１に投入する発泡剤または液体の少なくともいずれかに以下の薬剤を配合することができる。
【０１７３】
虫歯の予防を目的として、例えば、殺菌剤や各種のフッ化物など。  
歯槽膿漏や歯肉炎の予防を目的として、例えば、デキストラナーゼ、ムタナーゼ、ムタステインなどの酵素剤や、塩化リゾチーム、トラネキサム酸、アズノール、アラントイン、カミツレチンキ、ラタニアチンキ、ミルラチンキなどの抗炎症剤など。  
口腔の洗浄や消毒、口臭除去を目的として、例えば、グルコン酸クロルヘキシジンなどの殺菌剤や、ポリオキシエチレン硬化ヒマシ油、ラウリル硫酸ナトリウム、エチルアルコールなどの溶解補助剤など、  
湿潤剤（保湿剤）として、例えば、グリセリン、ソルビトール、ポリエチレングリコール、プロピレングリコールなど。
【０１７４】
最後に、本発明の第１８の実施例として、本発明の吐水装置を用いたフェイスケアあるいはボディケアの方法の一例を紹介する。  
第１実施例に関して前述したように、本発明によれば、液体貯留タンク１を密閉した後に発泡剤を水に溶解させガスを発生させるので、ガスの散逸による圧力の損失を解消できる。その結果として、高い濃度の炭酸水を生成し吐水させることができる。従って、多量の発泡剤を投入して液体貯留タンク１の内圧を高め、液体中への炭酸ガスの溶解量を増加させ、高い濃度の炭酸水を吐出させることができる。その結果として、炭酸ガスなどの有効成分を高い濃度で含んだ発泡水を長時間に亘って吐出させることができる。
【０１７５】
例えば、炭酸ガスを発生させる場合には、本発明の吐水装置によれば、炭酸泉の濃度である１０００ｐｐｍを超え、３０００ｐｐｍ以上の炭酸水を吐出させることも可能である。このような高濃度の炭酸水は、血管拡張作用による血行促進効果が著しい。従って、温熱効果が得られ、冷え性などを低減できる。さらにまた、各種の薬効成分を配合した場合の浸透効果も高い。一方、高濃度の炭酸水は、皮膚のターンオーバーを促進し、美白効果や皺の低減除去にも効果を有する。
【０１７６】
また、高濃度の炭酸水は、酸性水であるため、皮膚の角質を除去するピーリング効果も得られ、同時に、静菌作用やアストリンゼント効果も得られる。  
このような発泡水は、顔や手足あるいはその他の身体の部位に直接的に噴射してもよく、または、天然パルプやコットンなどの素材からなるパック材にしみ込ませて所定の部位にあてがうように用いてもよい。
【０１７７】
本発明の吐水装置を用いて、主に美容効果を目的とした気泡流を形成する場合には、発泡成分の他に、液体貯留タンク１に投入する発泡剤または液体の少なくともいずれかに以下の薬剤を配合することができる。
【０１７８】
洗浄剤あるいは界面活性剤：アニオン界面活性剤としては、例えば、石鹸、アルキルベンゼンスルホン酸、Ｎ−アシルグルタミン酸塩など。カチオン界面活性剤としては、例えば、塩化ベンザルコニウム、塩化ジステアリルジメチルアンモニウムなど。両性界面活性剤としては、例えば、塩酸アルキルジアミノエチルグリシン、ラウリルジメチルアミノ酢酸ベタインなど。  
収斂剤（発汗を抑制することができる）：クエン酸、酒石酸、乳酸などのアニオン系収斂剤。アルミニウム塩などのカチオン系収斂剤。エタノールなどの非イオン系収斂剤。  
湿潤剤（保湿剤）：グリセリン、コラーゲン、ヒアルロン酸、エラスチン、ポリエチレングリコール、プロピレングリコール、ソルビトール、１、３−ブチレングリコール、ｄｌ−ピロリドンカルボン酸、乳酸ナトリウム、尿素、尿酸、ヒロリドンカルボン酸ナトリウム、レシチン、ヘパリノイドなど。
【０１７９】
以上具体例を参照しつつ本発明の実施の形態について説明した。しかし、本発明は、これらの具体例に限定されるものではない。  
すなわち、本発明の吐水装置を構成する要素について当業者が設計変更を加えたものであっても、本発明の要旨を備えたものであれば、本発明の範囲に包含される。
【０１８０】
例えば、第１乃至第１８実施例として前述した各具体例が有する要素のいずれかを適宜抽出し、新たなに組み合わせたものも本発明の範囲に包含される。  
また、減圧装置５としては、ゴムなどの弾性体を用いたもの、ダイアフラムを用いたもの、バネを用いたもの、多孔質を用いたものなど、当業者が減圧手段として採用しうる全てのものを包含する。
【０１８１】
また、第１５実施例に関して前述した泡生成手段３０についても、図４４乃至図４７に例示した具体例に限定されるものではなく、流入口５０と吐出口５２との配置関係や流路径のバランス、あるいは流入室５１の形状やサイズなどについては、当業者が適宜設計変更したものも、撹拌あるいは減速の少なくともいずれかの効果を有するものであれば、本発明の範囲に包含される。また、泡生成手段３０は、例えば、流入室５１内に回転自在に設けられた水車を有するものなどであってもよい。
【図面の簡単な説明】
【０１８２】
【図１】本発明の第１の実施例にかかる吐水装置の断面構造を表す模式図である。
【図２】第１実施例の吐水装置の使用方法を説明するための模式図である。
【図３】圧力と炭酸ガスの溶解量との関係を表すグラフ図である。
【図４】発泡剤収納容器の他の具体例を表す模式断面図である。
【図５】本発明の第２の実施例の吐水装置の断面を表す模式図である。
【図６】本発明の第３の実施例の吐水装置の断面を表す模式図である。
【図７】本発明の第４の実施例の吐水装置の断面を表す模式図である。
【図８】本発明の第５の実施例の吐水装置の断面を表す模式図である。
【図９】本発明の第６の実施例の吐水装置の断面を表す模式図である。
【図１０】本発明の第７の実施例の吐水装置の断面を表す模式図である。
【図１１】本発明の第８の実施例の吐水装置の断面を表す模式図である。
【図１２】第８実施例の変型例を表す模式図である。
【図１３】液体貯留タンク１内に延在するチューブの先端付近の変型例を表す模式断面図である。
【図１４】本発明の第９の実施例の吐水装置の断面を表す模式図である。
【図１５】第９実施例の吐水装置Ｉの使用方法を説明する模式図である。
【図１６】本発明の第１０の実施例の吐水装置の断面を表す模式図である。
【図１７】第１０実施例の変型例の吐水装置の断面を表す模式図である。
【図１８】第１０実施例における密閉容器の具体例を表す模式断面図である。
【図１９】密閉容器の容器本体２９Ａのもう一つの具体例を表す模式図である。
【図２０】図１９の具体例の容器本体２９Ａの使用状態を表す模式図である。
【図２１】密閉容器の容器本体２９Ａの変型例を表す模式図である。
【図２２】密閉容器２９の他の具体例を表す模式図である。
【図２３】保持具の一例を表す模式図である。
【図２４】保持具の爪２２ｂの他の具体例を表す模式図である。
【図２５】蓋部２９Ｂの一部が容器本体２９Ａにつながった状態を表す模式図である。
【図２６】爪２２ｂの他の具体例を説明するための模式図である。
【図２７】爪２２ｂの先端面の具体例を例示する模式図である。
【図２８】本発明の第１０実施例の変型例の吐水装置を表す一部透視断面図である。
【図２９】本変型例において密閉容器２９が吐水装置に装填される様子を表す模式図である。
【図３０】本変型例の吐水装置が施蓋された状態を表す一部拡大断面図である。
【図３１】操作スイッチ７が操作された状態を表す一部拡大断面図である。
【図３２】図３１のＡ−Ａ線断面図である。
【図３３】本発明の第１１の実施例の吐水装置の断面を表す模式図である。
【図３４】本発明の第１１の実施例の変型例の吐水装置の断面を表す模式図である。
【図３５】本発明の第１２の実施例の吐水装置の断面を表す模式図である。
【図３６】本発明の第１２の実施例の変型例の吐水装置の断面を表す模式図である。
【図３７】本発明の第１３の実施例の吐水装置の断面を表す模式図である。
【図３８】第１３実施例の変型例を表す模式図である。
【図３９】図３８の変型例において発泡剤収納容器の上端を斜めにカットした具体例を表す模式図である。
【図４０】図３８の変型例において発泡剤収納容器の側壁に開口を設けた具体例を表す模式図である。
【図４１】本発明の第１４実施例の吐水装置の断面を表す模式図である。
【図４２】本発明の第１５の実施例にかかる吐水装置の断面を表す模式図である。
【図４３】泡生成手段３０の作用を説明するための概念図である。
【図４４】（ａ）は、泡生成手段３０の第１の具体例の上面図であり、（ｂ）は、そのａ−ａ線側面断面図である。
【図４５】（ａ）は、泡生成手段３０の第２の具体例の上面図であり、（ｂ）は、そのａ−ａ線側面断面図である。
【図４６】（ａ）は、泡生成手段３０の第３の具体例の上面図であり、（ｂ）は、そのａ−ａ線側面断面図である。
【図４７】７（ａ）は、泡生成手段３０の第４の具体例の上面図であり、（ｂ）は、そのａ−ａ線側面断面図である。
【図４８】本発明の第１６実施例の吐水装置の吐水ヘッドを例示する斜視図である。
【図４９】第１６実施例の別の具体例の吐水装置の断面を表す模式図である。
【図５０】第１６実施例のさらに他の具体例を表す模式図である。
【図５１】本発明の第１７の実施例として、口腔内の使用に特に適した吐水装置について説明する。
【符号の説明】
【０１８３】
Ａ〜Ｑ  吐水装置
１ 液体貯留タンク
１ｂ 発泡剤収納容器保持部
２ａ 突起
２ｂ 押圧部
２ｃ 通水部
３ 通水路
４ 開閉弁
５ 減圧装置
６ 吐水ノズル
６ａ 吐水口
６ｂ 旋回室
６ｃ 受力部
７ 操作スイッチ
７ａ 可撓性突起体
７ｂ 吐水口
８ キャップ
８ｄ 吐水口
８ｅ 可撓性突起体
９、９′、９″、１１、１５、１７、２０、２９、３９、４９  発泡剤収納容器
９ａ シール材
９ａ〜９ｃ、１１ａ、１５ａ、１７ｂ 小穴
１０ 発泡剤
１２ リング
１３ ストッパー
１６、１８ 発泡剤把持具
１６ａ、１８ａ 把持爪
１６ｂ 小穴
１７ａ 係合突起
１９ 発泡剤把持具
１９ａ 固定爪
１９ｂ 可動爪
１９ｃ ツマミ
１９ｃ 操作ツマミ
２０ 発泡剤収納容器（蓋）
２０ａ 突起
２１ 開閉弁
２２ 保持具
２２ａ 小穴
２２ｂ 爪
２２ｃ バネ
２２ｄ 給水筒
２２ｆ フランジ部
２４ パッキン
２９ 密閉容器
２９Ａ 容器本体
２９Ｂ 蓋部
２９Ｓ スペーサ
２９ｂ 爪
３０ 泡生成手段
４０ チューブ
４２ 錘
４４ 浮体
５０ 流入口
５１ 流入室
５２ 吐出口
６０ 遮蔽板
７０ フィルタ
８０ 吐水ヘッド
８１ 液体貯留タンク
８２ 蓋
８５ 操作スイッチ
８８ ヘッド
８８ｄ 吐水口
８８ｅ 可撓性突起体
９１ 液体貯留タンク
９２ 蓋
９５ 操作スイッチ
９８ ヘッド
９８ｄ 吐水口
１００ 発泡水
１１０ 気泡
１２０ 発泡水の皮膜
２００ 人体
【図１】
2004290669.tif 000003
【図２】
2004290669.tif 000004
【図３】
2004290669.tif 000005
【図４】
2004290669.tif 000006
【図５】
2004290669.tif 000007
【図６】
2004290669.tif 000008
【図７】
2004290669.tif 000009
【図８】
2004290669.tif 000010
【図９】
2004290669.tif 000011
【図１０】
2004290669.tif 000012
【図１１】
2004290669.tif 000013
【図１２】
2004290669.tif 000014
【図１３】
2004290669.tif 000015
【図１４】
2004290669.tif 000016
【図１５】
2004290669.tif 000017
【図１６】
2004290669.tif 000018
【図１７】
2004290669.tif 000019
【図１８】
2004290669.tif 000020
【図１９】
2004290669.tif 000021
【図２０】
2004290669.tif 000022
【図２１】
2004290669.tif 000023
【図２２】
2004290669.tif 000024
【図２３】
2004290669.tif 000025
【図２４】
2004290669.tif 000026
【図２５】
2004290669.tif 000027
【図２６】
2004290669.tif 000028
【図２７】
2004290669.tif 000029
【図２８】
2004290669.tif 000030
【図２９】
2004290669.tif 000031
【図３０】
2004290669.tif 000032
【図３１】
2004290669.tif 000033
【図３２】
2004290669.tif 000034
【図３３】
2004290669.tif 000035
【図３４】
2004290669.tif 000036
【図３５】
2004290669.tif 000037
【図３６】
2004290669.tif 000038
【図３７】
2004290669.tif 000039
【図３８】
2004290669.tif 000040
【図３９】
2004290669.tif 000041
【図４０】
2004290669.tif 000042
【図４１】
2004290669.tif 000043
【図４２】
2004290669.tif 000044
【図４３】
2004290669.tif 000045
【図４４】
2004290669.tif 000046
【図４５】
2004290669.tif 000047
【図４６】
2004290669.tif 000048
【図４７】
2004290669.tif 000049
【図４８】
2004290669.tif 000050
【図４９】
2004290669.tif 000051
【図５０】
2004290669.tif 000052
【図５１】
2004290669.tif 000053